(57)【要約】【課題】マウスポインタなどの入力支援手段の操作を簡単に実行でき、形状を小型化できる入力支援手段操作装置、そのような入力支援手段操作装置を適用した電子情報機器を提供する。【解決手段】入力支援手段操作装置３は、表示画面６０の第１方向Ｄｈｒで入力支援手段６１としてのマウスポインタ６１ｐの位置を操作する第１方向位置操作入力部１０と、第１方向位置操作入力部１０が配置された操作装置筐体３ｃとを備え、第１方向位置操作入力部１０は、操作装置筐体３ｃの操作面と側面とが交差して形成する第１縁部３ｆに配置してある。また、入力支援手段操作装置３は、第１方向Ｄｈｒと交差する第２方向Ｄｖｔでマウスポインタ６１ｐの位置を操作する第２方向位置操作入力部２０を備え、第２方向位置操作入力部２０は、操作装置筐体３ｃに配置され、操作装置筐体３ｃの操作面と側面とが交差して形成し第１縁部３ｆと交差する第２縁部３ｓに配置してある。【選択図】図１Ａ
2009058986.tif 000002
【特許請求の範囲】
【請求項１】
電子情報機器の表示画面に表示され情報の入力を支援する入力支援手段を操作する入力支援手段操作装置であって、
前記表示画面の第１方向で入力支援手段としてのマウスポインタの位置を操作する第１方向位置操作入力部と、
該第１方向位置操作入力部が配置された操作装置筐体とを備え、
前記第１方向位置操作入力部は、前記操作装置筐体の操作面と側面とが交差して形成する第１縁部に配置してあること
を特徴とする入力支援手段操作装置。
【請求項２】
請求項１に記載の入力支援手段操作装置であって、
前記第１方向位置操作入力部は、前記第１縁部に沿って延長してあることを特徴とする入力支援手段操作装置。
【請求項３】
請求項１または請求項２に記載の入力支援手段操作装置であって、
前記第１方向位置操作入力部は、外部からの近接操作を検知する近接検知センサとしてあることを特徴とする入力支援手段操作装置。
【請求項４】
請求項３に記載の入力支援手段操作装置であって、
前記近接検知センサは、１次元センサとしてあることを特徴とする入力支援手段操作装置。
【請求項５】
請求項１ないし請求項４のいずれか一つに記載の入力支援手段操作装置であって、
前記操作装置筐体に前記第１方向位置操作入力部の配置位置を表示する位置表示部を有することを特徴とする入力支援手段操作装置。
【請求項６】
請求項５に記載の入力支援手段操作装置であって、
前記位置表示部は、前記操作装置筐体に形成された凹凸により形成してあることを特徴とする入力支援手段操作装置。
【請求項７】
請求項１ないし請求項６のいずれか一つに記載の入力支援手段操作装置であって、
前記操作装置筐体に前記第１方向位置操作入力部の機能を指定する第１機能指定部を備えることを特徴とする入力支援手段操作装置。
【請求項８】
請求項７に記載の入力支援手段操作装置であって、
前記第１機能指定部は、前記第１方向位置操作入力部の延長線上に配置してあることを特徴とする入力支援手段操作装置。
【請求項９】
請求項７または請求項８に記載の入力支援手段操作装置であって、
前記第１方向位置操作入力部の前記機能は、複数設定してあり、前記第１機能指定部は、複数の前記機能のそれぞれに対応する複数のボタンスイッチを有することを特徴とする入力支援手段操作装置。
【請求項１０】
請求項７ないし請求項９のいずれか一つに記載の入力支援手段操作装置であって、
前記第１機能指定部は、前記第１方向位置操作入力部に対する入力操作と前記表示画面でのマウスポインタの移動との相関関係を画定することを特徴とする入力支援手段操作装置。
【請求項１１】
請求項１ないし請求項１０のいずれか一つに記載の入力支援手段操作装置であって、
前記表示画面の前記第１方向と交差する第２方向で入力支援手段としてのマウスポインタの位置を操作する第２方向位置操作入力部を備え、
該第２方向位置操作入力部は、前記操作装置筐体に配置され、前記操作装置筐体の操作面と側面とが交差して形成し前記第１縁部と交差する第２縁部に配置してあること
を特徴とする入力支援手段操作装置。
【請求項１２】
請求項１１に記載の入力支援手段操作装置であって、
前記第２方向位置操作入力部は、前記第２縁部に沿って延長してあることを特徴とする入力支援手段操作装置。
【請求項１３】
請求項１１または請求項１２に記載の入力支援手段操作装置であって、
前記第２方向位置操作入力部は、外部からの近接操作を検知する近接検知センサとしてあることを特徴とする入力支援手段操作装置。
【請求項１４】
請求項１３に記載の入力支援手段操作装置であって、
前記近接検知センサは、１次元センサとしてあることを特徴とする入力支援手段操作装置。
【請求項１５】
請求項１１ないし請求項１４のいずれか一つに記載の入力支援手段操作装置であって、
前記操作装置筐体に前記第２方向位置操作入力部の配置位置を表示する位置表示部を有することを特徴とする入力支援手段操作装置。
【請求項１６】
請求項１５に記載の入力支援手段操作装置であって、
前記位置表示部は、前記操作装置筐体に形成された凹凸により形成してあることを特徴とする入力支援手段操作装置。
【請求項１７】
請求項１１ないし請求項１６のいずれか一つに記載の入力支援手段操作装置であって、
前記操作装置筐体に前記第２方向位置操作入力部の機能を指定する第２機能指定部を備えることを特徴とする入力支援手段操作装置。
【請求項１８】
請求項１７に記載の入力支援手段操作装置であって、
前記第２機能指定部は、前記第２方向位置操作入力部の延長線上に配置してあることを特徴とする入力支援手段操作装置。
【請求項１９】
請求項１７または請求項１８に記載の入力支援手段操作装置であって、
前記第２方向位置操作入力部の前記機能は、複数設定してあり、前記第２機能指定部は、複数の前記機能のそれぞれに対応する複数のボタンスイッチを有することを特徴とする入力支援手段操作装置。
【請求項２０】
請求項１７ないし請求項１９のいずれか一つに記載の入力支援手段操作装置であって、
前記第２機能指定部は、前記第２方向位置操作入力部に対する入力操作と前記表示画面でのマウスポインタの移動との相関関係を画定することを特徴とする入力支援手段操作装置。
【請求項２１】
請求項１１ないし請求項２０のいずれか一つに記載の入力支援手段操作装置であって、
前記第１縁部および前記第２縁部は隣接して交差配置され、前記第１方向位置操作入力部および前記第２方向位置操作入力部は相互に交差角を有するように配置してあることを特徴とする入力支援手段操作装置。
【請求項２２】
請求項２１に記載の入力支援手段操作装置であって、
前記交差角は、３０度から１５０度までの範囲内としてあることを特徴とする入力支援手段操作装置。
【請求項２３】
請求項１１ないし請求項２２のいずれか一つに記載の入力支援手段操作装置であって、
前記操作装置筐体に前記マウスポインタの第１動作を実行させる第１動作入力部が配置してあることを特徴とする入力支援手段操作装置。
【請求項２４】
請求項２３に記載の入力支援手段操作装置であって、
前記第１動作入力部は、前記第２方向位置操作入力部に沿って延長してあることを特徴とする入力支援手段操作装置。
【請求項２５】
請求項２３または請求項２４に記載の入力支援手段操作装置であって、
前記第１動作入力部は、前記第２方向位置操作入力部に対して並行に配置してあることを特徴とする入力支援手段操作装置。
【請求項２６】
請求項２３ないし請求項２５のいずれか一つに記載の入力支援手段操作装置であって、
前記マウスポインタの前記第１動作は、位置決め動作であることを特徴とする入力支援手段操作装置。
【請求項２７】
請求項２３ないし請求項２６のいずれか一つに記載の入力支援手段操作装置であって、
前記第１動作入力部は、クリック用のボタンスイッチで構成してあることを特徴とする入力支援手段操作装置。
【請求項２８】
請求項２３ないし請求項２７のいずれか一つに記載の入力支援手段操作装置であって、
前記操作装置筐体に前記マウスポインタの第２動作を実行させる第２動作入力部が配置してあることを特徴とする入力支援手段操作装置。
【請求項２９】
請求項２８に記載の入力支援手段操作装置であって、
前記第２動作入力部は、前記第１動作入力部に沿って延長してあることを特徴とする入力支援手段操作装置。
【請求項３０】
請求項２８または請求項２９に記載の入力支援手段操作装置であって、
前記第２動作入力部は、前記第１動作入力部に対して並行に配置してあることを特徴とする入力支援手段操作装置。
【請求項３１】
請求項２８ないし請求項３０のいずれか一つに記載の入力支援手段操作装置であって、
前記第２動作入力部は、前記第１動作入力部を挟んで前記第２方向位置操作入力部の反対側に配置してあることを特徴とする入力支援手段操作装置。
【請求項３２】
請求項２８ないし請求項３１のいずれか一つに記載の入力支援手段操作装置であって、
前記マウスポインタの前記第２動作は、前記位置決め動作で指定したマウスポインタの位置で選択可能な機能を表示する機能選択画面表示動作であることを特徴とする入力支援手段操作装置。
【請求項３３】
請求項２８ないし請求項３２のいずれか一つに記載の入力支援手段操作装置であって、
前記第２動作入力部は、クリック用のボタンスイッチで構成してあることを特徴とする入力支援手段操作装置。
【請求項３４】
請求項２８ないし請求項３３のいずれか一つに記載の入力支援手段操作装置であって、
前記操作装置筐体に前記入力支援手段としてのスクロールバーを動作させる第３動作入力部が配置してあることを特徴とする入力支援手段操作装置。
【請求項３５】
請求項３４に記載の入力支援手段操作装置であって、
前記第３動作入力部は、前記第１動作入力部に対して並行に、前記第２動作入力部の延長線上に配置してあることを特徴とする入力支援手段操作装置。
【請求項３６】
請求項３４または請求項３５に記載の入力支援手段操作装置であって、
前記第３動作入力部は、ホイールで構成してあることを特徴とする入力支援手段操作装置。
【請求項３７】
請求項２８ないし請求項３６のいずれか一つに記載の入力支援手段操作装置であって、
前記操作装置筐体に前記第１動作入力部の機能を指定する第３機能指定部が配置してあることを特徴とする入力支援手段操作装置。
【請求項３８】
請求項３７に記載の入力支援手段操作装置であって、
前記第３機能指定部は、前記第１動作入力部の延長線上に配置してあることを特徴とする入力支援手段操作装置。
【請求項３９】
請求項３７または請求項３８に記載の入力支援手段操作装置であって、
前記第３機能指定部は、指定する前記第１動作入力部の機能に対応する複数のボタンスイッチを有することを特徴とする入力支援手段操作装置。
【請求項４０】
請求項３７ないし請求項３９のいずれか一つに記載の入力支援手段操作装置であって、
前記操作装置筐体に前記第２動作入力部の機能を指定する第４機能指定部が配置してあることを特徴とする入力支援手段操作装置。
【請求項４１】
請求項４０に記載の入力支援手段操作装置であって、
前記第４機能指定部は、前記第２動作入力部の延長線上に配置してあることを特徴とする入力支援手段操作装置。
【請求項４２】
請求項４０または請求項４１に記載の入力支援手段操作装置であって、
前記第４機能指定部は、指定する前記第２動作入力部の機能に対応する複数のボタンスイッチを有することを特徴とする入力支援手段操作装置。
【請求項４３】
請求項４２に記載の入力支援手段操作装置であって、
前記第３機能指定部が有する前記ボタンスイッチの一つ、および、前記第４機能指定部が有する前記ボタンスイッチの一つは、それぞれ、前記第１動作入力部が実行する前記マウスポインタの前記第１動作と前記第２動作入力部が実行する前記マウスポインタの前記第２動作との切り替えに適用させてあることを特徴とする入力支援手段操作装置。
【請求項４４】
請求項２３ないし請求項４３のいずれか一つに記載の入力支援手段操作装置であって、
前記操作装置筐体に前記第１方向位置操作入力部および前記第２方向位置操作入力部のオンオフを制御する第１動作制御部を備えることを特徴とする入力支援手段操作装置。
【請求項４５】
請求項４４に記載の入力支援手段操作装置であって、
前記第１動作制御部は、前記第１動作入力部に重畳させて配置してあることを特徴とする入力支援手段操作装置。
【請求項４６】
請求項４４または請求項４５に記載の入力支援手段操作装置であって、
前記第１動作制御部は、外部からの近接操作を検知する近接検知センサを備えることを特徴とする入力支援手段操作装置。
【請求項４７】
請求項４４ないし請求項４６のいずれか一つに記載の入力支援手段操作装置であって、
前記操作装置筐体に前記第１動作制御部の機能を指定する第５機能指定部を備えることを特徴とする入力支援手段操作装置。
【請求項４８】
請求項４７に記載の入力支援手段操作装置であって、
前記第５機能指定部は、前記第１動作入力部の延長線上に配置され、前記第３機能指定部に隣接させてあることを特徴とする入力支援手段操作装置。
【請求項４９】
請求項４７または請求項４８に記載の入力支援手段操作装置であって、
前記第５機能指定部は、ボタンスイッチで構成してあることを特徴とする入力支援手段操作装置。
【請求項５０】
請求項４７ないし請求項４９のいずれか一つに記載の入力支援手段操作装置であって、
前記操作装置筐体に前記第３動作入力部の機能を指定する第６機能指定部を備えることを特徴とする入力支援手段操作装置。
【請求項５１】
請求項５０に記載の入力支援手段操作装置であって、
前記第６機能指定部は、前記第２動作入力部の延長線上に配置され、前記第４機能指定部に隣接させてあることを特徴とする入力支援手段操作装置。
【請求項５２】
請求項５０または請求項５１に記載の入力支援手段操作装置であって、
前記第６機能指定部は、ボタンスイッチで構成してあることを特徴とする入力支援手段操作装置。
【請求項５３】
請求項３４ないし請求項５２のいずれか一つに記載の入力支援手段操作装置であって、
前記操作装置筐体に、前記第１動作入力部、前記第２動作入力部、前記第３動作入力部および前記第１動作制御部のオンオフを制御する第２動作制御部を備えることを特徴とする入力支援手段操作装置。
【請求項５４】
請求項５３に記載の入力支援手段操作装置であって、
前記第２動作制御部は、外部からの近接操作を検知する光学センサで構成してあることを特徴とする入力支援手段操作装置。
【請求項５５】
請求項１ないし請求項５４のいずれか一つに記載の入力支援手段操作装置であって、
前記操作装置筐体は、前記電子情報機器の入力装置部の入力装置筐体に結合してあることを特徴とする入力支援手段操作装置。
【請求項５６】
請求項５５に記載の入力支援手段操作装置であって、
前記操作装置筐体は、対としてあり、前記入力装置筐体に対して対称的に配置してあることを特徴とする入力支援手段操作装置。
【請求項５７】
請求項５５または請求項５６に記載の入力支援手段操作装置であって、
前記操作装置筐体は、前記入力装置筐体と一体化してあることを特徴とする入力支援手段操作装置。
【請求項５８】
情報を表示する表示画面を有する表示装置部と、情報を入力する入力装置部と、前記表示画面に表示される入力支援手段を操作する入力支援手段操作装置とを備える電子情報機器であって、
前記入力支援手段操作装置は、請求項１ないし請求項５７のいずれか一つに記載の入力支援手段操作装置であることを特徴とする電子情報機器。
【発明の詳細な説明】
【技術分野】
【０００１】
本発明は、電子情報機器の表示画面に表示され情報の入力を支援する入力支援手段を操作する入力支援手段操作装置およびこのような入力支援手段操作装置を備える電子情報機器に関する。
【背景技術】
【０００２】
電子情報機器の表示装置部（表示画面）にマウスポインタ、スクロールバーなどの入力支援手段を表示して電子情報機器の入力装置部への入力を簡略化、効率化することが提案されている。
【０００３】
入力支援手段を操作する手段として、例えばマウス（ボールマウス、光学マウス、無線式マウスなどを含む）、タッチパッド、タブレットなどが提案されている。
【０００４】
電子情報機器としては、デスクトップ型パソコン、ラップトップ（ノート）型パソコン、モバイル電子情報機器などが知られている。また、入力装置部としては、キーボード型入力装置、マウス型入力装置、主にラップトップ（ノート）型パソコンに搭載されるタッチパッド型入力装置、ポインティングデバイス型入力装置などが知られている。
【０００５】
電子情報機器と入力装置部との組合せにより入力支援手段を操作する構成としてある。一般的に良く利用される入力装置部としては、マウス型入力装置、タッチパッド型入力装置、ポインティングデバイス型入力装置などがあり、これらによって入力支援手段の位置を外部から指示して操作する構成としてある。
【０００６】
マウス型入力装置を適用した場合は、マウスの操作を行なうために平らな場所が必要となる。また、マウスの大きさに対して数倍の広さの安定した操作領域が必要となる。接続線の動きがマウスを操作するときに邪魔になる。両手でキーボードを操作した後マウスを操作するときに手放していたマウスを手探りで探す必要が生じるなど多くの不都合を生じる。
【０００７】
ボールマウスを適用した場合は、ボールやボール位置センサーにごみが付着して誤動作する恐れがあり、掃除が必要になる。また、操作場所の状態でボールセンサーが転がってすべることで誤動作する恐れがある。マウスパッドを使用する必要が生じるなど多くの不都合を生じる。
【０００８】
光学マウスを適用した場合は、場所の状態によって光学センサーがすべることで誤動作する恐れがある。また、専用のマウスパッドを使用する必要が生じる場合があるなど多くの不都合を生じる。
【０００９】
無線式マウスを適用した場合は、駆動用の電池が必要になる。また、電子情報機器の側にレシーバが必要になる。付随的には電池による環境への影響が懸念される。赤外線方式などでは視界制限がある。機器の構成が複雑になるなどの多くの不都合を生じる。
【００１０】
タッチパッド型入力装置は、静電容量センサー式などで構成され、小型軽量であり、電子情報機器と一体化できるが、キーボードなどの入力装置部に対して別途配置することから大きい面積を確保することができない。したがって、有効距離が小さいことから、操作頻度を高くする必要がある。また、指の腹で操作するため接触する面積が大きくなり、精細な移動ができない。指の角度や指の圧力で指の接触形状が敏感に変化することから繊細な操作が必要となるなど多くの不都合を生じる。
【００１１】
また、タッチパッド型入力装置を適用した場合は、解像度を低くする（移動速度を速くする）と敏感に反応し、操作頻度が高くなる。解像度を高くする（移動速度を遅くする）と移動の距離が小さくなり、操作が複雑になる。指の繊細な接触に操作が左右されることから、繊細な操作を必要とし、指、目、脳が疲れ、操作が遅くなるなど多くの不都合を生じる。
【００１２】
ペンタブレット型入力装置は、電磁誘導式などで構成され、繊細な操作が可能であることから、デスクトップ型パソコンでデザインソフトの操作に使用されることが多い。しかし、占有面積が大きくなること、ペンを持つ必要があること、操作が遅くなることなどの多くの不都合を生じる。
【００１３】
きーボードの問題を解決する技術として例えば特許文献１が開示されている。また、マウスの問題を解決する技術として例えば特許文献２が開示されている。
【特許文献１】特開平１０−１２４２４２号公報
【特許文献２】特開２００３−２５６１３１号公報
【発明の開示】
【発明が解決しようとする課題】
【００１４】
本発明はこのような状況に鑑みてなされたものであり、表示画面に表示され情報の入力を支援する入力支援手段を操作する入力支援手段操作装置であって、表示画面の第１方向で入力支援手段としてのマウスポインタの位置を操作する第１方向位置操作入力部を操作装置筐体の操作面と側面とが交差して形成する第１縁部に配置することにより、入力支援手段の操作を簡単に実行でき、形状を小型化することができる入力支援手段操作装置を提供することを目的とする。
【００１５】
また、本発明は、情報を表示する表示画面を有する表示装置部と、情報を入力する入力装置部と、表示画面に表示される入力支援手段を操作する入力支援手段操作装置とを備える電子情報機器であって、入力支援手段操作装置を本発明に係る入力支援手段操作装置で構成することにより、入力支援手段に対する操作が容易な電子情報機器を提供することを他の目的とする。
【課題を解決するための手段】
【００１６】
本発明に係る入力支援手段操作装置は、電子情報機器の表示画面に表示され情報の入力を支援する入力支援手段を操作する入力支援手段操作装置であって、前記表示画面の第１方向で入力支援手段としてのマウスポインタの位置を操作する第１方向位置操作入力部と、該第１方向位置操作入力部が配置された操作装置筐体とを備え、前記第１方向位置操作入力部は、前記操作装置筐体の操作面と側面とが交差して形成する第１縁部に配置してあることを特徴とする。
【００１７】
この構成により、第１方向位置操作入力部に対する操作を容易かつ迅速に実行することが可能となり、マウスポインタに対する表示画面の第１方向での位置操作を効率的に実行することが可能となり、また構造を小型化することができる。
【００１８】
また、本発明に係る入力支援手段操作装置では、前記第１方向位置操作入力部は、前記第１縁部に沿って延長してあることを特徴とする。
【００１９】
この構成により、表示画面の第１方向でマウスポインタを容易かつ迅速に操作することが可能となる。
【００２０】
また、本発明に係る入力支援手段操作装置では、前記第１方向位置操作入力部は、外部からの近接操作を検知する近接検知センサとしてあることを特徴とする。
【００２１】
この構成により、外部からの近接操作によりマウスポインタの第１方向での位置操作を高精度に行なうことが可能となる。
【００２２】
また、本発明に係る入力支援手段操作装置では、前記近接検知センサは、１次元センサとしてあることを特徴とする。
【００２３】
この構成により、第１方向位置操作入力部を簡単に構成することが可能となり、マウスポインタの第１方向での位置操作を高精度に行なうことができる。
【００２４】
また、本発明に係る入力支援手段操作装置では、前記操作装置筐体に前記第１方向位置操作入力部の配置位置を表示する位置表示部を有することを特徴とする。
【００２５】
この構成により、第１方向位置操作入力部の入力可能範囲を明確に表示することが可能となり、マウスポインタの第１方向での位置操作を迅速かつ高精度に実行することができる。
【００２６】
また、本発明に係る入力支援手段操作装置では、前記位置表示部は、前記操作装置筐体に形成された凹凸により形成してあることを特徴とする。
【００２７】
この構成により、表示画面を視認した状態で触覚を適用してマウスポインタの位置操作の入力を高精度に行なうことが可能となる。
【００２８】
また、本発明に係る入力支援手段操作装置では、前記操作装置筐体に前記第１方向位置操作入力部の機能を指定する第１機能指定部を備えることを特徴とする。
【００２９】
この構成により、第１方向位置操作入力部の機能を指定することが可能となることから、第１方向位置操作入力部の機能を容易に変更することができる。
【００３０】
また、本発明に係る入力支援手段操作装置では、前記第１機能指定部は、前記第１方向位置操作入力部の延長線上に配置してあることを特徴とする。
【００３１】
この構成により、第１方向位置操作入力部の機能を容易かつ確実に画定することが可能となる。
【００３２】
また、本発明に係る入力支援手段操作装置では、前記第１方向位置操作入力部の前記機能は、複数設定してあり、前記第１機能指定部は、複数の前記機能のそれぞれに対応する複数のボタンスイッチを有することを特徴とする。
【００３３】
この構成により、第１方向位置操作入力部の機能を複数画定して、それぞれの機能を容易かつ確実に画定することが可能となる。
【００３４】
また、本発明に係る入力支援手段操作装置では、前記第１機能指定部は、前記第１方向位置操作入力部に対する入力操作と前記表示画面でのマウスポインタの移動との相関関係を画定することを特徴とする。
【００３５】
この構成により、第１方向位置操作入力部への接触操作による表示画面でのマウスポインタの移動をより効率的に実行することが可能となる。
【００３６】
また、本発明に係る入力支援手段操作装置では、前記表示画面の前記第１方向と交差する第２方向で入力支援手段としてのマウスポインタの位置を操作する第２方向位置操作入力部を備え、該第２方向位置操作入力部は、前記操作装置筐体に配置され、前記操作装置筐体の操作面と側面とが交差して形成し前記第１縁部と交差する第２縁部に配置してあることを特徴とする。
【００３７】
この構成により、第２方向位置操作入力部に対する操作を容易かつ迅速に実行することが可能となり、マウスポインタに対する表示画面の第２方向での位置操作を効率的に実行することが可能となり、また構造を小型化することができる。
【００３８】
また、本発明に係る入力支援手段操作装置では、前記第２方向位置操作入力部は、前記第２縁部に沿って延長してあることを特徴とする。
【００３９】
この構成により、表示画面の第２方向でマウスポインタを容易かつ迅速に操作することが可能となる。
【００４０】
また、本発明に係る入力支援手段操作装置では、前記第２方向位置操作入力部は、外部からの近接操作を検知する近接検知センサとしてあることを特徴とする。
【００４１】
この構成により、外部からの近接操作によりマウスポインタの第２方向での位置操作を高精度に行なうことが可能となる。
【００４２】
また、本発明に係る入力支援手段操作装置では、前記近接検知センサは、１次元センサとしてあることを特徴とする。
【００４３】
この構成により、第１方向位置操作入力部を簡単に構成することが可能となり、マウスポインタの第１方向での位置操作を高精度に行なうことができる。
【００４４】
また、本発明に係る入力支援手段操作装置では、前記操作装置筐体に前記第２方向位置操作入力部の配置位置を表示する位置表示部を有することを特徴とする。
【００４５】
この構成により、第２方向位置操作入力部の入力可能範囲を明確に表示することが可能となり、マウスポインタの第２方向での位置操作を迅速かつ高精度に実行することができる。
【００４６】
また、本発明に係る入力支援手段操作装置では、前記位置表示部は、前記操作装置筐体に形成された凹凸により形成してあることを特徴とする。
【００４７】
この構成により、表示画面を視認した状態で触覚を適用してマウスポインタの位置操作の入力を高精度に行なうことが可能となる。
【００４８】
また、本発明に係る入力支援手段操作装置では、前記操作装置筐体に前記第２方向位置操作入力部の機能を指定する第２機能指定部を備えることを特徴とする。
【００４９】
この構成により、第２方向位置操作入力部の機能を指定することが可能となることから、第２方向位置操作入力部の機能を容易に変更することができる。
【００５０】
また、本発明に係る入力支援手段操作装置では、前記第２機能指定部は、前記第２方向位置操作入力部の延長線上に配置してあることを特徴とする。
【００５１】
この構成により、第２方向位置操作入力部の機能を容易かつ確実に画定することが可能となる。
【００５２】
また、本発明に係る入力支援手段操作装置では、前記第２方向位置操作入力部の前記機能は、複数設定してあり、前記第２機能指定部は、複数の前記機能のそれぞれに対応する複数のボタンスイッチを有することを特徴とする。
【００５３】
この構成により、第２方向位置操作入力部の機能を複数画定して、それぞれの機能を容易かつ確実に画定することが可能となる。
【００５４】
また、本発明に係る入力支援手段操作装置では、前記第２機能指定部は、前記第２方向位置操作入力部に対する入力操作と前記表示画面でのマウスポインタの移動との相関関係を画定することを特徴とする。
【００５５】
この構成により、第２方向位置操作入力部への接触操作による表示画面でのマウスポインタの移動をより効率的に実行することが可能となる。
【００５６】
また、本発明に係る入力支援手段操作装置では、前記第１縁部および前記第２縁部は隣接して交差配置され、前記第１方向位置操作入力部および前記第２方向位置操作入力部は相互に交差角を有するように配置してあることを特徴とする。
【００５７】
この構成により、第１方向位置操作入力部および第２方向位置操作入力部を整合性良く配置することが可能となることから、効率的な入力が可能な入力支援手段操作装置とすることができる。
【００５８】
また、本発明に係る入力支援手段操作装置では、前記交差角は、３０度から１５０度までの範囲内としてあることを特徴とする。
【００５９】
この構成により、第１方向位置操作入力部および第２方向位置操作入力部の交差角を人間工学的に操作性の良い配置とすることが可能となる。
【００６０】
また、本発明に係る入力支援手段操作装置では、前記操作装置筐体に前記マウスポインタの第１動作を実行させる第１動作入力部が配置してあることを特徴とする。
【００６１】
この構成により、第１方向位置操作入力部および第２方向位置操作入力部とは別に第１動作入力部を配置し、第１方向位置操作入力部および第２方向位置操作入力部に対する操作とは別に第１動作入力部に対する操作を実行できることから、迅速かつ効率よくマウスポインタの第１動作を実行させることが可能となる。
【００６２】
また、本発明に係る入力支援手段操作装置では、前記第１動作入力部は、前記第２方向位置操作入力部に沿って延長してあることを特徴とする。
【００６３】
この構成により、第１動作入力部の形状を大きくすることが可能となり、容易かつ迅速にマウスポインタの第１動作を実行することができる。
【００６４】
また、本発明に係る入力支援手段操作装置では、前記第１動作入力部は、前記第２方向位置操作入力部に対して並行に配置してあることを特徴とする。
【００６５】
この構成により、第２方向位置操作入力部に対する相対位置関係で第１動作入力部を認識することが可能となることから、迅速かつ効率よく第１動作入力部を操作することができる。
【００６６】
また、本発明に係る入力支援手段操作装置では、前記マウスポインタの前記第１動作は、位置決め動作であることを特徴とする。
【００６７】
この構成により、効率的にマウスポインタの位置決めを実行することが可能となる。
【００６８】
また、本発明に係る入力支援手段操作装置では、前記第１動作入力部は、クリック用のボタンスイッチで構成してあることを特徴とする。
【００６９】
この構成により、クリック操作を容易かつ精度良く実行することが可能となる。
【００７０】
また、本発明に係る入力支援手段操作装置では、前記操作装置筐体に前記マウスポインタの第２動作を実行させる第２動作入力部が配置してあることを特徴とする。
【００７１】
この構成により、第１動作入力部とは別に第２動作入力部を操作できることから、容易かつ迅速に効率よくマウスポインタの第２動作を実行させることが可能となる。
【００７２】
また、本発明に係る入力支援手段操作装置では、前記第２動作入力部は、前記第１動作入力部に沿って延長してあることを特徴とする。
【００７３】
この構成により、第２動作入力部の形状を大きくすることが可能となり、容易かつ迅速に第１動作を実行することができる。
【００７４】
また、本発明に係る入力支援手段操作装置では、前記第２動作入力部は、前記第１動作入力部に対して並行に配置してあることを特徴とする。
【００７５】
この構成により、第２動作入力部を第１動作入力部と関連付けて認識し、第１動作入力部に対応させた指の隣の指を対応させて操作することが可能となることから、容易かつ迅速に効率よく第２動作入力部を操作することができる。
【００７６】
また、本発明に係る入力支援手段操作装置では、前記第２動作入力部は、前記第１動作入力部を挟んで前記第２方向位置操作入力部の反対側に配置してあることを特徴とする。
【００７７】
この構成により、第２方向位置操作入力部、第１動作入力部、第２動作入力部を５指の内の３指に対応させて整合性よく配置することが可能となり、第２方向でのマウスポインタの位置操作、第１動作の実行、第２動作の実行を容易かつ迅速に行なうことができる。
【００７８】
また、本発明に係る入力支援手段操作装置では、前記マウスポインタの前記第２動作は、前記位置決め動作で指定したマウスポインタの位置で選択可能な機能を表示する機能選択画面表示動作であることを特徴とする。
【００７９】
この構成により、効率的にマウスポインタの機能選択画面表示動作を実行することが可能となる。
【００８０】
また、本発明に係る入力支援手段操作装置では、前記第２動作入力部は、クリック用のボタンスイッチで構成してあることを特徴とする。
【００８１】
この構成により、クリック操作を容易かつ精度良く実行することが可能となる。
【００８２】
また、本発明に係る入力支援手段操作装置では、前記操作装置筐体に前記入力支援手段としてのスクロールバーを動作させる第３動作入力部が配置してあることを特徴とする。
【００８３】
この構成により、マウスポインタの第１動作を実行させる第１動作入力部およびマウスポインタの第２動作を実行させる第２動作入力部とは別にマウスポインタの動作を実行させる第３動作入力部に対する操作を実行できることから、マウスポインタに対する操作に加えて迅速かつ効率よくスクロールバーを動作させることが可能となる。
【００８４】
また、本発明に係る入力支援手段操作装置では、前記第３動作入力部は、前記第１動作入力部に対して並行に、前記第２動作入力部の延長線上に配置してあることを特徴とする。
【００８５】
この構成により、第３動作入力部を第１動作入力部、第２動作入力部と関連付けて位置を認識し、操作することが可能となることから、容易かつ迅速に効率よくスクロールバーの動作を実行させることが可能となる。
【００８６】
また、本発明に係る入力支援手段操作装置では、前記第３動作入力部は、ホイールで構成してあることを特徴とする。
【００８７】
この構成により、容易かつ迅速にスクロールバーを操作させることが可能となる。
【００８８】
また、本発明に係る入力支援手段操作装置では、前記操作装置筐体に前記第１動作入力部の機能を指定する第３機能指定部が配置してあることを特徴とする。
【００８９】
この構成により、第１動作入力部の機能を指定することが可能となることから、第１動作入力部の機能を容易に変更することができる。
【００９０】
また、本発明に係る入力支援手段操作装置では、前記第３機能指定部は、前記第１動作入力部の延長線上に配置してあることを特徴とする。
【００９１】
この構成により、第１動作入力部に対する相対位置関係で第３機能指定部を認識することが可能となることから、迅速かつ効率よく第３機能指定部を操作することができる。
【００９２】
また、本発明に係る入力支援手段操作装置では、前記第３機能指定部は、指定する前記第１動作入力部の機能に対応する複数のボタンスイッチを有することを特徴とする。
【００９３】
この構成により、第１動作入力部の機能を容易かつ迅速に指定することが可能となる。
【００９４】
また、本発明に係る入力支援手段操作装置では、前記操作装置筐体に前記第２動作入力部の機能を指定する第４機能指定部が配置してあることを特徴とする。
【００９５】
この構成により、第２動作入力部の機能を指定することが可能となることから、第２動作入力部の機能を容易に変更することができる。
【００９６】
また、本発明に係る入力支援手段操作装置では、前記第４機能指定部は、前記第２動作入力部の延長線上に配置してあることを特徴とする。
【００９７】
この構成により、第２動作入力部に対する相対位置関係で第４機能指定部を認識することが可能となることから、迅速かつ効率よく第３機能指定部を操作することができる。
【００９８】
また、本発明に係る入力支援手段操作装置では、前記第４機能指定部は、指定する前記第２動作入力部の機能に対応する複数のボタンスイッチを有することを特徴とする。
【００９９】
この構成により、第２動作入力部の機能を容易かつ迅速に指定することが可能となる。
【０１００】
また、本発明に係る入力支援手段操作装置では、前記第３機能指定部が有する前記ボタンスイッチの一つ、および、前記第４機能指定部が有する前記ボタンスイッチの一つは、それぞれ、前記第１動作入力部が実行する前記マウスポインタの前記第１動作と前記第２動作入力部が実行する前記マウスポインタの前記第２動作との切り替えに適用させてあることを特徴とする。
【０１０１】
この構成により、マウスポインタの第１動作と第２動作を容易に切り替えることが可能となることから、例えば左クリックと右クリックの機能の切り替えが容易で利便性の高い入力支援手段操作装置とすることができる。
【０１０２】
また、本発明に係る入力支援手段操作装置では、前記操作装置筐体に前記第１方向位置操作入力部および前記第２方向位置操作入力部のオンオフを制御する第１動作制御部を備えることを特徴とする。
【０１０３】
この構成により、近接操作によって動作する第１方向位置操作入力部および第２方向位置操作入力部の動作を確実に制御することが可能となることから、第１方向位置操作入力部または第２方向位置操作入力部の誤動作を防止することができる。
【０１０４】
また、本発明に係る入力支援手段操作装置では、前記第１動作制御部は、前記第１動作入力部に重畳させて配置してあることを特徴とする。
【０１０５】
この構成により、第１動作制御部の位置を第１動作入力部に対応させて認識させることができることから、容易かつ迅速に第１動作制御部のオンオフ制御が可能となる。
【０１０６】
また、本発明に係る入力支援手段操作装置では、前記第１動作制御部は、外部からの近接操作を検知する近接検知センサを備えることを特徴とする。
【０１０７】
この構成により、第１動作制御部に対する近接操作をしている場合にのみ第１方向位置操作入力部および第２方向位置操作入力部をオン動作させることが可能となることから、マウスポインタに対する位置の操作での誤動作を防止することができる。
【０１０８】
また、本発明に係る入力支援手段操作装置では、前記操作装置筐体に前記第１動作制御部の機能を指定する第５機能指定部を備えることを特徴とする。
【０１０９】
この構成により、第１動作制御部の機能を指定することが可能となることから、第１方向位置操作入力部および第２方向位置操作入力部のオンオフの制御方法を指定することが可能となり、使用状況に応じて第１動作制御部を機能させることにより利便性の高い第１動作制御部とすることができる。
【０１１０】
また、本発明に係る入力支援手段操作装置では、前記第５機能指定部は、前記第１動作入力部の延長線上に配置され、前記第３機能指定部に隣接させてあることを特徴とする。
【０１１１】
この構成により、第１動作入力部、第３機能指定部に対する相対位置関係で第５機能指定部を認識することが可能となることから、迅速かつ効率よく第５機能指定部を操作することができる。
【０１１２】
また、本発明に係る入力支援手段操作装置では、前記第５機能指定部は、ボタンスイッチで構成してあることを特徴とする。
【０１１３】
この構成により、安定性良く動作制御部の機能を指定することが可能となる。
【０１１４】
また、本発明に係る入力支援手段操作装置では、前記操作装置筐体に前記第３動作入力部の機能を指定する第６機能指定部を備えることを特徴とする。
【０１１５】
この構成により、第３動作入力部の機能を指定することが可能となることから、第３動作入力部の操作性を調整することが可能となり、使用状況に応じて第３動作入力部を機能させることにより利便性の高い第３動作入力部とすることができる。
【０１１６】
また、本発明に係る入力支援手段操作装置では、前記第６機能指定部は、前記第２動作入力部の延長線上に配置され、前記第４機能指定部に隣接させてあることを特徴とする。
【０１１７】
この構成により、第２動作入力部、第４機能指定部に対する相対位置関係で第６機能指定部を認識することが可能となることから、迅速かつ効率よく第６機能指定部を操作することができる。
【０１１８】
また、本発明に係る入力支援手段操作装置では、前記第６機能指定部は、ボタンスイッチで構成してあることを特徴とする。
【０１１９】
この構成により、安定性良く第３動作入力部の機能を指定することが可能となる。
【０１２０】
また、本発明に係る入力支援手段操作装置では、前記操作装置筐体に、前記第１動作入力部、前記第２動作入力部、前記第３動作入力部および前記第１動作制御部のオンオフを制御する第２動作制御部を備えることを特徴とする。
【０１２１】
この構成により、第１動作入力部、第２動作入力部、第３動作入力部および第１動作制御部の動作を確実に制御することが可能となることから、第１動作入力部、前記第２動作入力部、第３動作入力部または第１動作制御部による誤動作を防止することができる。
【０１２２】
また、本発明に係る入力支援手段操作装置では、前記第２動作制御部は、外部からの近接操作を検知する光学センサで構成してあることを特徴とする。
【０１２３】
この構成により、第１動作入力部、第２動作入力部、第３動作入力部および第１動作制御部のオンオフの切り替えを可能とすることから、第１動作入力部、第２動作入力部、第３動作入力部および第１動作制御部について安定した動作をさせることができる。
【０１２４】
また、本発明に係る入力支援手段操作装置では、前記操作装置筐体は、前記電子情報機器の入力装置部の入力装置筐体に結合してあることを特徴とする。
【０１２５】
この構成により、状況に応じて入力支援手段操作装置を利用することが可能となる。
【０１２６】
また、本発明に係る入力支援手段操作装置では、前記操作装置筐体は、対としてあり、前記入力装置筐体に対して対称的に配置してあることを特徴とする。
【０１２７】
この構成により、左右いずれの側でも入力支援手段を操作することが可能となることから、容易かつ効率的に入力支援手段を操作することができる。
【０１２８】
また、本発明に係る入力支援手段操作装置では、前記操作装置筐体は、前記入力装置筐体と一体化してあることを特徴とする。
【０１２９】
この構成により、電子情報機器の入力装置部に入力支援手段操作装置を一体にすることから、入力支援手段操作装置、さらには入力装置筐体の外形を簡略化することができる。
【０１３０】
また、本発明に係る電子情報機器は、情報を表示する表示画面を有する表示装置部と、情報を入力する入力装置部と、前記表示画面に表示される入力支援手段を操作する入力支援手段操作装置とを備える電子情報機器であって、前記入力支援手段操作装置は、本発明に係る入力支援手段操作装置であることを特徴とする。
【０１３１】
この構成により、入力支援手段に対する操作が容易な電子情報機器とすることが可能となる。
【発明の効果】
【０１３２】
本発明に係る入力支援手段操作装置によれば、表示画面の第１方向で入力支援手段としてのマウスポインタの位置を操作する第１方向位置操作入力部と、第１方向位置操作入力部が配置された操作装置筐体とを備え、第１方向位置操作入力部は、操作装置筐体の操作面と側面とが交差して形成する第１縁部に配置してあることから、第１方向位置操作入力部に対する操作を容易かつ迅速に実行することが可能となり、マウスポインタに対する表示画面の第１方向での位置操作を効率的に実行することが可能となり、また構造を小型化することができるという効果を奏する。
【０１３３】
また、本発明に係る電子情報機器によれば、情報を表示する表示画面を有する表示装置部と、情報を入力する入力装置部と、表示画面に表示される入力支援手段を操作する入力支援手段操作装置とを備える電子情報機器であって、入力支援手段操作装置は、本発明に係る入力支援手段操作装置とすることから、入力支援手段に対する操作が容易な電子情報機器とすることが可能となるという効果を奏する。
【発明を実施するための最良の形態】
【０１３４】
以下、本発明の実施の形態を図面に基づいて説明する。
【０１３５】
＜実施の形態１＞
図１Ａないし図４に基づいて、本発明の実施の形態１に係る入力支援手段操作装置について説明する。
【０１３６】
図１Ａは、本発明の実施の形態１に係る入力支援手段操作装置の概略構成を示す概略平面図である。図１Ｂは、図１Ａの矢符Ｂ方向から見た側面図である。
【０１３７】
図２Ａは、図１Ａに示した入力支援手段操作装置の左手用領域を拡大して示す拡大平面図である。図２Ｂは、図１Ａに示した入力支援手段操作装置の右手用領域を拡大して示す拡大平面図である。
【０１３８】
図３Ａは、本発明の実施の形態１に係る入力支援手段操作装置が入力支援手段（マウスポインタ）を操作する状態を説明する説明図である。図３Ｂは、本発明の実施の形態１に係る入力支援手段操作装置が入力支援手段（スクロールバー）を操作する状態を説明する説明図である。
【０１３９】
本実施の形態に係る入力支援手段操作装置３は、電子情報機器（例えば、図７Ａ参照。）が有する表示装置部６の表示画面６０（図３Ａ、図３Ｂ参照）に表示され情報の入力を支援する入力支援手段６１（マウスポインタ６１ｐ、スクロールバー６１ｓ。図３Ａ、図３Ｂ参照）を操作する構成としてある。
【０１４０】
また、入力支援手段操作装置３（操作装置筐体３ｃ）は、電子情報機器の入力装置部２の入力装置筐体２ｃに配置してある。入力装置筐体２ｃの表面は、一般的に操作面として構成してある。
【０１４１】
入力支援手段操作装置３は、表示画面６０の第１方向Ｄｈｒ（例えば、水平方向／Ｘ軸方向）で入力支援手段６１としてのマウスポインタ６１ｐの位置を操作する第１方向位置操作入力部１０と、第１方向位置操作入力部１０が配置された操作装置筐体３ｃとを備える。
【０１４２】
第１方向位置操作入力部１０は、操作装置筐体３ｃの操作面と側面とが交差して形成する第１縁部３ｆに配置してある。したがって、第１方向位置操作入力部１０に対する操作を容易かつ迅速に実行することが可能となり、マウスポインタ６１ｐに対する表示画面６０の第１方向Ｄｈｒでの位置操作を効率的に行なうことができる。第１縁部３ｆに配置することから、構造を小型化することが可能となる。
【０１４３】
また、入力支援手段操作装置３は、表示画面６０の第１方向と交差する第２方向Ｄｖｔ（例えば、垂直方向／Ｙ軸方向）で入力支援手段６１としてのマウスポインタ６１ｐの位置を操作する第２方向位置操作入力部２０を備える。
【０１４４】
第２方向位置操作入力部２０は、操作装置筐体３ｃに配置され、操作装置筐体３ｃの操作面と側面とが交差して形成し第１縁部３ｆと交差する第２縁部３ｓに配置してある。したがって、第２方向位置操作入力部２０に対する操作を容易かつ迅速に実行することが可能となり、マウスポインタ６１ｐに対する表示画面６０の第２方向での位置操作を効率的に行なうことができる。第２縁部３ｓに配置することから、構造を小型化することが可能となる。
【０１４５】
入力支援手段操作装置３（操作装置筐体３ｃ）は、左右に対としてあり、電子情報機器の入力装置部２の入力装置筐体２ｃに対して対称的に配置してある。また、入力支援手段操作装置３は、各構成要素についても左右対称に配置してある。
【０１４６】
この構成により、左右いずれの側でも入力支援手段６１を操作することが可能となることから、容易かつ効率的に入力支援手段６１を操作することができる。
【０１４７】
入力装置部２は、例えば一般的な文字キー２ｋ、テンキー２ｎを含むキーボードとして構成することが可能であり、操作装置筐体３ｃは、入力装置筐体２ｃと一体化してある。
【０１４８】
この構成により、電子情報機器の入力装置部２（入力装置筐体２ｃ）に入力支援手段操作装置３（操作装置筐体３ｃ）を一体にすることから、入力支援手段操作装置３、さらには入力装置筐体２ｃの外形を簡略化、小型化することができる。
【０１４９】
なお、入力装置部２は、表示装置部６に対する信号を送出するために電子情報機器の制御部（不図示）に接続される端子２ｔを備える。
【０１５０】
入力支援手段操作装置３は、第１方向位置操作入力部１０を備える。第１方向位置操作入力部１０は、第１縁部３ｆに沿って延長してある。したがって、表示画面６０の第１方向Ｄｈｒでマウスポインタ６１ｐを容易かつ迅速に操作することが可能となる。つまり、操作する指の触覚をそのまま表示画面６０に反映させることが可能である。
【０１５１】
第１方向位置操作入力部１０は、外部からの近接操作を検知する近接検知センサとしてある。したがって、外部からの近接操作（例えば、指による接触。）によりマウスポインタ６１ｐの第１方向Ｄｈｒでの位置操作を高精度に行なうことが可能となる。
【０１５２】
第１方向位置操作入力部１０を構成する近接検知センサは、１次元センサとしてある。したがって、第１方向位置操作入力部１０を簡単に構成することが可能となり、マウスポインタ６１ｐの第１方向Ｄｈｒでの位置操作を高精度に行なうことができる。また、１次元センサであることから、操作が簡単となり、操作時に繊細な操作をする必要が無く疲れを抑制することが可能となる。
【０１５３】
なお、第１方向位置操作入力部１０は、例えば静電容量センサで構成することが望ましい。また、配置長さは、例えば８０ｍｍないし１２０ｍｍ程度、さらには１６０ｍｍ程度の有効距離を得られる構成とすることが望ましい。
【０１５４】
また、長さに対して幅を検出感度の極限まで小さくすることが可能であることから、占有面積を縮小し小型化することが可能となる。
【０１５５】
入力支援手段操作装置３は、第２方向位置操作入力部２０を備える。第２方向位置操作入力部２０は、第２縁部３ｓに沿って延長してある。したがって、表示画面６０の第２方向Ｄｖｔでマウスポインタ６１ｐを容易かつ迅速に操作することが可能となる。つまり、操作する指の触覚をそのまま表示画面６０に反映させることが可能である。
【０１５６】
第２方向位置操作入力部２０は、外部からの近接操作を検知する近接検知センサとしてある。したがって、外部からの近接操作（例えば、指による接触。）によりマウスポインタ６１ｐの第２方向Ｄｖｔでの位置操作を高精度に行なうことが可能となる。
【０１５７】
第２方向位置操作入力部２０を構成する近接検知センサは、１次元センサとしてある。したがって、第２方向位置操作入力部２０を簡単に構成することが可能となり、マウスポインタ６１ｐの第２方向Ｄｖｔでの位置操作を高精度に行なうことができる。また、１次元センサであることから、操作が簡単となり、操作時に繊細な操作をする必要が無く疲れを抑制することが可能となる。
【０１５８】
なお、第２方向位置操作入力部２０は、第１方向位置操作入力部１０と同様に静電容量センサで構成することが望ましい。また、配置長さは、例えば８０ｍｍないし１２０ｍｍ程度、さらには１６０ｍｍ程度の有効距離を得られる構成とすることが望ましい。
【０１５９】
また、長さに対して幅を検出感度の極限まで小さくすることが可能であることから、占有面積を縮小し小型化することが可能となる。
【０１６０】
入力支援手段操作装置３は、第１方向位置操作入力部１０の配置位置を表示する位置表示部１１を有する。したがって、第１方向位置操作入力部１０の入力可能範囲を明確に表示することが可能となり、マウスポインタ６１ｐの第１方向Ｄｈｒでの位置操作を迅速かつ高精度に実行することができる。
【０１６１】
位置表示部１１は、操作装置筐体３ｃに形成された凹凸により形成してある。したがって、表示画面６０を視認した状態で入力支援手段操作装置３を操作する指の触覚を適用してマウスポインタ６１ｐの位置操作の入力を高精度に行なうことが可能となる。なお、操作装置筐体３ｃに形成された凹凸は、操作装置筐体３ｃそのものに対して形成する場合の他に他の部材を適用して形成することも可能である。
【０１６２】
位置表示部１１は、第１方向位置操作入力部１０に隣接させて、例えば第１方向位置操作入力部１０の中央および両端に配置してある。第１方向位置操作入力部１０の両端のみに対応させて配置することも可能であり、第１方向位置操作入力部１０の大きさに応じて適宜の配置とすることが可能である。
【０１６３】
入力支援手段操作装置３は、第２方向位置操作入力部２０の配置位置を表示する位置表示部２１を有する。したがって、第２方向位置操作入力部２０の入力可能範囲を明確に表示することが可能となり、マウスポインタ６１ｐの第２方向Ｄｖｔでの位置操作を迅速かつ高精度に実行することができる。
【０１６４】
位置表示部２１は、位置表示部１１と同様にして操作装置筐体３ｃに形成された凹凸により形成してある。したがって、表示画面６０を視認した状態で入力支援手段操作装置３を操作する指の触覚を適用してマウスポインタ６１ｐの位置操作の入力を高精度に行なうことが可能となる。
【０１６５】
位置表示部２１は、第２方向位置操作入力部２０に隣接させて、例えば第２方向位置操作入力部２０の中央および両端に配置してある。第２方向位置操作入力部２０の両端のみに対応させて配置することも可能であり、第２方向位置操作入力部２０の大きさに応じて適宜の配置とすることが可能である。
【０１６６】
第１方向Ｄｈｒおよび第２方向Ｄｖｔそれぞれに対応させて第１方向位置操作入力部１０および第２方向位置操作入力部２０を配置することから、表示画面６０に対する入力支援手段６１（マウスポインタ６１ｐ）の操作を縦方向、横方向の単純な組合せで入力することが可能となる。
【０１６７】
入力支援手段操作装置３は、第１方向位置操作入力部１０の機能を指定する第１機能指定部１２を備える。したがって、第１方向位置操作入力部１０の機能を指定することが可能となることから、第１方向位置操作入力部１０の機能を容易に変更することができる。
【０１６８】
なお、第１方向位置操作入力部１０の機能として、例えば表示画面６０でのマウスポインタ６１ｐの移動を制御する機能があり、第１機能指定部１２によって例えば第１方向位置操作入力部１０に対する入力操作と表示画面６０でのマウスポインタ６１ｐの移動との相関関係を画定することが可能である（実施の形態２、図５ないし図６Ｃ参照）。
【０１６９】
第１機能指定部１２は、第１方向位置操作入力部１０の延長線上に配置してある。したがって、第１方向位置操作入力部１０の機能を容易かつ確実に画定することが可能となる。
【０１７０】
第１方向位置操作入力部１０の機能は、複数設定してあり、第１機能指定部１２は、複数の機能のそれぞれに対応する複数のボタンスイッチ１２ｆ、１２ｓ、１２ｔを有する。したがって、第１機能指定部１２は、第１方向位置操作入力部１０の機能を複数画定して、それぞれの機能を容易かつ確実に画定することが可能となる（実施の形態２、図５ないし図６Ｃ参照）。
【０１７１】
入力支援手段操作装置３は、第２方向位置操作入力部２０の機能を指定する第２機能指定部２２を備える。したがって、第２方向位置操作入力部２０の機能を指定することが可能となることから、第２方向位置操作入力部２０の機能を容易に変更することができる。
【０１７２】
なお、第２方向位置操作入力部２０の機能として、例えば表示画面６０でのマウスポインタ６１ｐの移動を制御する機能があり、第２機能指定部２２によって例えば第２方向位置操作入力部２０に対する入力操作と表示画面６０でのマウスポインタ６１ｐの移動との相関関係を画定することが可能である（実施の形態２、図５ないし図６Ｃ参照）。
【０１７３】
第２機能指定部２２は、第２方向位置操作入力部２０の延長線上に配置してある。したがって、第２方向位置操作入力部２０の機能を容易かつ確実に画定することが可能となる。
【０１７４】
第２方向位置操作入力部２０の機能は、複数設定してあり、第２機能指定部２２は、複数の機能のそれぞれに対応する複数のボタンスイッチ２２ｆ、２２ｓ、２２ｔを有する。したがって、第２機能指定部２２は、第２方向位置操作入力部２０の機能を複数画定して、それぞれの機能を容易かつ確実に画定することが可能となる（実施の形態２、図５ないし図６Ｃ参照）。
【０１７５】
第１機能指定部１２で指定する機能と第２機能指定部２２で指定する機能はそれぞれ対応させてあることが入力操作を容易にする観点から望ましい。
【０１７６】
第１縁部３ｆおよび第２縁部３ｓは隣接して交差配置され、第１方向位置操作入力部１０および第２方向位置操作入力部２０は相互に交差角θを有するように配置してある。したがって、第１方向位置操作入力部１０および第２方向位置操作入力部２０を整合性良く配置することが可能となることから、効率的な入力が可能な入力支援手段操作装置３とすることができる。
【０１７７】
交差角θは、例えば３０度から１５０度までの範囲内としてある。したがって、第１方向位置操作入力部１０および第２方向位置操作入力部２０の交差角θを人間工学的に操作性の良い配置とすることが可能となる。操作性および入力支援手段操作装置３の形成などを考慮すると、交差角θは、９０度±３０度程度としてあることが望ましい。
【０１７８】
操作装置筐体３ｃにマウスポインタ６１ｐの第１動作を実行させる第１動作入力部３１が配置してある。
【０１７９】
この構成により、第１方向位置操作入力部１０および第２方向位置操作入力部２０とは別に第１動作入力部３１を配置し、第１方向位置操作入力部１０および第２方向位置操作入力部２０に対する操作とは別に第１動作入力部３１に対する操作を実行できることから、迅速かつ効率よくマウスポインタ６１ｐの第１動作を実行させることが可能となる。
【０１８０】
第１動作入力部３１は、第２方向位置操作入力部２０に沿って延長して配置してある。したがって、第１動作入力部３１の形状を大きくすることが可能となり、容易かつ迅速にマウスポインタ６１ｐの第１動作を実行することができる。
【０１８１】
第１動作入力部３１は、第２方向位置操作入力部２０に対して並行に配置してある。したがって、第２方向位置操作入力部２０に対する相対位置関係で第１動作入力部３１を認識することが可能となることから、迅速かつ効率よく第１動作入力部３１を操作することができる。
【０１８２】
マウスポインタ６１ｐの第１動作は、表示画面６０でのマウスポインタ６１ｐの位置決め動作であることが望ましい。したがって、効率的にマウスポインタ６１ｐの位置決めを実行することが可能となる。
【０１８３】
第１動作入力部３１は、クリック用のボタンスイッチで構成してある。したがって、クリック操作を容易かつ精度良く実行することが可能となる。
【０１８４】
操作装置筐体３ｃにマウスポインタ６１ｐの第２動作を実行させる第２動作入力部３２が配置してある。
【０１８５】
この構成により、第１動作入力部３１とは別に第２動作入力部３２を操作できることから、容易かつ迅速に効率よくマウスポインタ６１ｐの第２動作を実行させることが可能となる。
【０１８６】
第２動作入力部３２は、第１動作入力部３１に沿って延長して配置してある。したがって、第２動作入力部３２の形状を大きくすることが可能となり、容易かつ迅速に第２動作を実行することができる。
【０１８７】
第２動作入力部３２は、第１動作入力部３１に対して並行に配置してある。したがって、第２動作入力部３２を第１動作入力部３１と関連付けて認識し、第１動作入力部３１に対応させた指の隣の指を対応させて操作することが可能となることから、容易かつ迅速に効率よく第２動作入力部３２を操作することができる。
【０１８８】
第２動作入力部３２は、第１動作入力部３１を挟んで第２方向位置操作入力部２０の反対側に配置してある。したがって、第２方向位置操作入力部２０、第１動作入力部３１、第２動作入力部３２を５指の内の３指に対応させて整合性よく配置することが可能となり、第２方向でのマウスポインタ６１ｐの位置操作、第１動作の実行、第２動作の実行を容易かつ迅速に行なうことができる。
【０１８９】
マウスポインタ６１ｐの第２動作は、位置決め動作（マウスポインタ６１ｐの第１動作）で指定したマウスポインタ６１ｐの位置で選択可能な機能を表示する機能選択画面表示動作である。したがって、効率的にマウスポインタ６１ｐの機能選択画面表示動作を実行することが可能となる。なお、機能選択画面表示動作で表示される画面（選択対象機能を表示した画面）の内容はアプリケーションソフトで適宜設定される。
【０１９０】
第２動作入力部３２は、クリック用のボタンスイッチで構成してある。したがって、クリック操作を容易かつ精度良く実行することが可能となる。
【０１９１】
操作装置筐体３ｃに入力支援手段６１としてのスクロールバー６１ｓを動作させる第３動作入力部３３が配置してある。
【０１９２】
この構成により、マウスポインタ６１ｐの第１動作を実行させる第１動作入力部３１およびマウスポインタ６１ｐの第２動作を実行させる第２動作入力部３２とは別にスクロールバー６１ｓを動作させる第３動作入力部３３に対する操作を実行できることから、マウスポインタ６１ｐに対する操作（第１動作、第２動作の実行）に加えて迅速かつ効率よくスクロールバー６１ｓを動作させることが可能となる。
【０１９３】
第３動作入力部３３は、第１動作入力部３１に対して並行に、第２動作入力部３２の延長線上に配置してある。したがって、第３動作入力部３３を第１動作入力部３１、第２動作入力部３２と関連付けて位置を認識し、操作することが可能となることから、容易かつ迅速に効率よくスクロールバー６１ｓを動作させることが可能となる。
【０１９４】
第３動作入力部３３は、ホイールで構成してある。したがって、容易かつ迅速にスクロールバー６１ｓを操作させることが可能となる。
【０１９５】
操作装置筐体３ｃに第１動作入力部３１の機能を指定する第３機能指定部４１が配置してある。したがって、第１動作入力部３１の機能を指定することが可能となることから、第１動作入力部３１の機能を容易に変更（指定）することができる。
【０１９６】
第３機能指定部４１は、第１動作入力部３１の延長線上に配置してある。したがって、第１動作入力部３１に対する相対位置関係で第３機能指定部４１を認識することが可能となることから、迅速かつ効率よく第３機能指定部４１を操作することができる。
【０１９７】
第３機能指定部４１は、指定する第１動作入力部３１の機能に対応する複数のボタンスイッチ４１ｆ、４１ｓを有する。したがって、第１動作入力部３１の機能を容易かつ迅速に指定することが可能となる。
【０１９８】
操作装置筐体３ｃに第２動作入力部３２の機能を指定する第４機能指定部４２が配置してある。したがって、第２動作入力部３２の機能を指定することが可能となることから、第２動作入力部３２の機能を容易に変更（指定）することができる。
【０１９９】
第４機能指定部４２は、第２動作入力部３２の延長線上に配置してある。したがって、第２動作入力部３２に対する相対位置関係で第４機能指定部４２を認識することが可能となることから、迅速かつ効率よく第３機能指定部４２を操作することができる。
【０２００】
第４機能指定部４２は、指定する第２動作入力部３２の機能に対応する複数のボタンスイッチ４２ｆ、４２ｓを有する。したがって、第２動作入力部３２の機能を容易かつ迅速に指定することが可能となる。
【０２０１】
第３機能指定部４１が有するボタンスイッチ４１ｆは、第１動作入力部３１が有する機能（例えば「ダブルクリックの速度切り替え」）に対応させてある。つまり、ボタンスイッチ４１ｆを操作することによって、「ダブルクリックの速度切り替え」を指定し、ダブルクリックの速度を切り替える状態とすることが可能となる。
【０２０２】
また、第３機能指定部４１が有するボタンスイッチ４１ｓは、第１動作入力部３１が有する機能（マウスポインタ６１ｐの第１動作、例えば「マウスポインタ６１ｐの位置決め」）と、第２動作入力部３２が有する機能（マウスポインタ６１ｐの第２動作、例えば「マウスポインタ６１ｐの位置決めで指定したマウスポインタ６１ｐの位置で選択可能な機能を表示する機能選択画面表示動作」）とを切り替えることにより、いわゆる左クリックと右クリックとを切り替えることが可能となる。つまり、主ボタン（例えば第１動作入力部３１）、副ボタン（例えば第２動作入力部３２）の機能を切り替えることが可能である。
【０２０３】
第４機能指定部４２が有するボタンスイッチ４２ｆは、第２動作入力部３２が有する機能（例えば「ダブルクリックの速度切り替え」）に対応させてある。つまり、ボタンスイッチ４２ｆを操作することによって、「ダブルクリックの速度切り替え」を指定し、ダブルクリックの速度を切り替える状態とすることが可能となる。
【０２０４】
また、第４機能指定部４２が有するボタンスイッチ４２ｓは、第１動作入力部３１が有する機能（マウスポインタ６１ｐの第１動作、例えば「マウスポインタ６１ｐの位置決め」）と、第２動作入力部３２が有する機能（マウスポインタ６１ｐの第２動作、例えば「マウスポインタ６１ｐの位置決めで指定したマウスポインタ６１ｐの位置で選択可能な機能を表示する機能選択画面表示動作」）とを切り替えることにより、いわゆる左クリックと右クリックとを切り替えることが可能となる。つまり、主ボタン（例えば第１動作入力部３１）、副ボタン（例えば第２動作入力部３２）の機能を切り替えることが可能である。
【０２０５】
上述したとおり、第３機能指定部４１が有するボタンスイッチの一つ（例えばボタンスイッチ４１ｓ）、および、第４機能指定部４２が有するボタンスイッチの一つ（例えばボタンスイッチ４２ｓ）は、それぞれ、第１動作入力部３１が実行するマウスポインタ６１ｐの第１動作と第２動作入力部３２が実行するマウスポインタ６１ｐの第２動作との切り替えに適用させてある。
【０２０６】
この構成により、マウスポインタ６１ｐの第１動作と第２動作を容易に切り替えることが可能となることから、例えば左クリックと右クリックの機能の切り替え（主副ボタンスイッチの切り替え）が容易で利便性の高い入力支援手段操作装置３とすることができる。
【０２０７】
また、上述したとおり、第３機能指定部４１が有するボタンスイッチの一つ（例えばボタンスイッチ４１ｆ）、および、第４機能指定部４２が有するボタンスイッチの一つ（例えばボタンスイッチ４２ｆ）は、第１動作入力部３１に対して指定する機能と第２動作入力部３２に対して指定する機能とを同一の機能（例えば、「ダブルクリックの速度切り替え」）としてある。
【０２０８】
この構成により、ボタンスイッチ４１ｓおよびボタンスイッチ４２ｓによって第１動作入力部３１が実行するマウスポインタ６１ｐの第１動作と第２動作入力部３２が実行するマウスポインタ６１ｐの第２動作とが切り替えられた場合に、第１動作入力部３１、第２動作入力部３２のいずれについても指定する「ダブルクリックの速度切り替え」を第３機能指定部４１ｆ、第４機能指定部４２ｆそれぞれに対する操作によって実行することが可能となる。
【０２０９】
操作装置筐体３ｃに第１方向位置操作入力部１０および第２方向位置操作入力部２０のオンオフを制御する第１動作制御部４４を備える。したがって、近接操作によって動作する第１方向位置操作入力部１０および第２方向位置操作入力部２０の動作を確実に制御することが可能となることから、第１方向位置操作入力部１０または第２方向位置操作入力部２０の誤動作を防止することができる。
【０２１０】
第１動作制御部４４は、第１動作入力部３１に重畳させて配置してある。したがって、第１動作制御部４４の位置を第１動作入力部３１に対応させて認識させることができることから、容易かつ迅速に第１動作制御部４４のオンオフ制御が可能となる。
【０２１１】
第１動作制御部４４は、外部からの近接操作を検知する近接検知センサを備える。したがって、第１動作制御部４４に対する近接操作をしている場合にのみ第１方向位置操作入力部１０および第２方向位置操作入力部２０をオン動作させることが可能となることから、マウスポインタ６１ｐに対する位置の操作での誤動作を防止することができる。
【０２１２】
操作装置筐体３ｃに第１動作制御部４４の機能を指定する第５機能指定部４６を備える。したがって、第１動作制御部４４の機能を指定することが可能となることから、第１方向位置操作入力部１０および第２方向位置操作入力部２０のオンオフの制御方法を指定することが可能となり、使用状況に応じて第１動作制御部４４を機能させることにより利便性の高い第１動作制御部４４とすることができる。
【０２１３】
第５機能指定部４６は、第１動作入力部３１の延長線上に配置され、第３機能指定部４１に隣接させてある。したがって、第１動作入力部３１、第３機能指定部４１に対する相対位置関係で第５機能指定部４６を認識することが可能となることから、迅速かつ効率よく第５機能指定部４６を操作することができる。
【０２１４】
第５機能指定部４６は、ボタンスイッチで構成してある。したがって、安定性良く動作制御部の機能を指定することが可能となる。
【０２１５】
操作装置筐体３ｃに第３動作入力部３３の機能を指定する第６機能指定部４８を備える。したがって、第３動作入力部３３の機能を指定することが可能となることから、第３動作入力部３３の操作性を調整することが可能となり、使用状況に応じて第３動作入力部３３を機能させることにより利便性の高い第３動作入力部３３とすることができる。
【０２１６】
第６機能指定部４８は、第２動作入力部３２の延長線上に配置され、第４機能指定部４２に隣接させてある。したがって、第２動作入力部３２、第３動作入力部３３、第４機能指定部４２に対する相対位置関係で第６機能指定部４８を認識することが可能となることから、迅速かつ効率よく第６機能指定部４８を操作することができる。
【０２１７】
第６機能指定部４８は、ボタンスイッチで構成してある。したがって、安定性良く第３動作入力部３３の機能を指定することが可能となる。
【０２１８】
操作装置筐体３ｃに、第１動作入力部３１、第２動作入力部３２、第３動作入力部３３および第１動作制御部４４のオンオフを制御する第２動作制御部５０を備える。したがって、第１動作入力部３１、第２動作入力部３２、第３動作入力部３３および第１動作制御部４４の動作を確実に制御することが可能となることから、第１動作入力部３１、第２動作入力部３２、第３動作入力部３３または第１動作制御部４４による誤動作を防止することができる。
【０２１９】
第２動作制御部５０は、外部からの近接操作を検知する光学センサで構成してある。したがって、第１動作入力部３１、第２動作入力部３２、第３動作入力部３３および第１動作制御部４４のオンオフの切り替えを可能とすることから、第１動作入力部３１、第２動作入力部３２、第３動作入力部３３および第１動作制御部４４について安定した動作をさせることができる。
【０２２０】
図４は、本発明の実施の形態１に係る入力支援手段操作装置の操作状態を説明する説明図である。なお、図の見易さを考慮して、各構成に対する詳細な符号は省略する。
【０２２１】
入力支援手段操作装置３に対応させて配置した手移動方向Ｄｈに対して、第１指を第１指移動方向Ｄｆ１に、第２指を第２指移動方向Ｄｆ２に、第３指を第３指移動方向Ｄｆ３に、第４指を第４指移動方向Ｄｆ４にそれぞれ対応させて配置した状態を示してある。
【０２２２】
第１指移動方向Ｄｆ１は、第１方向位置操作入力部１０、位置表示部１１、第１機能指定部１２に対応させて配置できることから、第１方向位置操作入力部１０、第１機能指定部１２に対する操作を容易かつ確実に実行することが可能となる。
【０２２３】
第２指移動方向Ｄｆ２は、第２動作入力部３２、第３動作入力部３３、第４機能指定部４２、第６機能指定部４８に対応させて配置できることから、第２動作入力部３２、第３動作入力部３３、第４機能指定部４２、第６機能指定部４８に対する操作を容易かつ確実に実行することが可能となる。
【０２２４】
第３指移動方向Ｄｆ３は、第１動作入力部３１、第３機能指定部４１、第１動作制御部４４、第５機能指定部４６に対応させて配置できることから、第１動作入力部３１、第３機能指定部４１、第１動作制御部４４、第５機能指定部４６に対する操作を容易かつ確実に実行することが可能となる。
【０２２５】
第４指移動方向Ｄｆ４は、第２方向位置操作入力部２０、位置表示部２１、第２機能指定部２２に対応させて配置できることから、第２方向位置操作入力部２０、第２機能指定部２２に対する操作を容易かつ確実に実行することが可能となる。
【０２２６】
なお、本実施の形態では、左手用領域、右手用領域を有する入力支援手段操作装置３として説明したが、いずれか一方のみとして構成することも可能である。左手用領域、右手用領域を有する入力支援手段操作装置３とした場合には、いずれか利用が容易な方を使うことが可能となる。また、両方を併用することも可能である。
【０２２７】
＜実施の形態２＞
図５ないし図６Ｃに基づいて、本発明の実施の形態２に係る入力支援手段操作装置について説明する。なお、本実施の形態に係る入力支援手段操作装置の構成は実施の形態１の入力支援手段操作装置３（第１方向位置操作入力部１０、第１機能指定部１２、第２方向位置操作入力部２０、第２機能指定部２２）と同一構成であるので、実施の形態１と同様の符号を適用する。
【０２２８】
本実施の形態は、入力支援手段操作装置３が備える第１方向位置操作入力部１０の機能を指定する第１機能指定部１２、第２方向位置操作入力部２０の機能を指定する第２機能指定部２２の実施例に関する。
【０２２９】
実施の形態１で述べたとおり、第１機能指定部１２は、第１方向位置操作入力部１０が有する複数の機能を指定するためにそれぞれの機能に対応させたボタンスイッチ１２ｆ、１２ｓ、１２ｔを有する。つまり、ボタンスイッチ１２ｆ、１２ｓ、１２ｔに対する操作によって、第１方向位置操作入力部１０の機能を指定することが可能となる。
【０２３０】
したがって、ボタンスイッチ１２ｆ、１２ｓ、１２ｔによって、例えば、第１方向位置操作入力部１０への入力操作と表示画面６０でのマウスポインタ６１ｐの移動との相関関係を画定することが可能となる。
【０２３１】
つまり、第１機能指定部１２（ボタンスイッチ１２ｆ、１２ｓ、１２ｔ）に対して例えば次のように機能を適用することが可能である。
【０２３２】
表示画面６０を第１方向Ｄｈｒでいくつかに分割し、分割した領域毎に第１方向位置操作入力部１０を適用する場合、ボタンスイッチ１２ｆに対して「操作範囲を切り替える」機能を適用する。つまり、分割したいずれの領域に対して第１方向位置操作入力部１０を作用させるかを選択する機能をボタンスイッチ１２ｆに持たせることができる。
【０２３３】
ボタンスイッチ１２ｆは、例えばローテーション式に設定することが可能である。つまり、表示画面６０を第１方向Ｄｈｒで２分割して左右に分割された領域を設定した場合、ボタンスイッチ１２ｆを押すごとに第１方向位置操作入力部１０を適用する領域が左領域→右領域→左領域・・・と順次切り替えられる構成とすることができる。
【０２３４】
表示画面６０を第１方向Ｄｈｒで２分割した場合には、第１方向位置操作入力部１０による操作精度を相対的に２倍に向上させることが可能となる。つまり、ｎ分割とした場合には、操作精度はｎ倍に向上させることが可能となる。
【０２３５】
表示画面６０を第１方向Ｄｈｒでいくつかに分割し、分割した領域毎に第１方向位置操作入力部１０を適用する場合、ボタンスイッチ１２ｓに対して「操作範囲を分割する」機能を適用する。つまり、表示画面６０を分割する機能をボタンスイッチ１２ｓに持たせることができる。
【０２３６】
ボタンスイッチ１２ｓは、例えばローテーション式に非分割、２分割、３分割など適宜の分割数を設定することが可能である。なお、ボタンスイッチ１２ｓで設定した分割数に対応させて、ボタンスイッチ１２ｆによって切り替える操作範囲を設定しておくことができる。
【０２３７】
例えば、非分割の場合は全画面が対象であることから操作範囲の切り替えは適用しない状態に設定する。また、２分割の場合は左右を交互に切り替える形態とする。３分割の場合は左、中、右を順次切り替える形態とする。
【０２３８】
第１方向位置操作入力部１０での操作距離に対する表示画面６０での入力支援手段６１（マウスポインタ６１ｐ）の移動距離の関係を絶対制御／相対制御で切り替える場合、ボタンスイッチ１２ｔに対して、「絶対制御／相対制御を切り替える」機能を適用する。つまり、第１方向位置操作入力部１０での操作距離に対するマウスポインタ６１ｐの移動距離の相関関係を変更する機能をボタンスイッチ１２ｔに持たせることができる。
【０２３９】
「絶対制御」とは、第１方向位置操作入力部１０の有効操作範囲をそのまま表示画面６０全体（第１方向Ｄｈｒでの全長）に比例対応させ、ドラッグ処理をすることなく直接移動先を指定する入力操作（入力制御）を意味する。表示画面６０を分割した場合には、分割した各領域全体（第１方向Ｄｈｒでの分割した領域毎）に第１方向位置操作入力部１０の有効操作範囲を適用する。表示画面６０を分割した場合は、分割数に応じて第１方向位置操作入力部１０による操作精度を向上させることが可能となる。
【０２４０】
また、「相対制御」とは、第１方向位置操作入力部１０に対するドラッグ操作の距離分を表示画面６０でのマウスポインタ６１ｐのドラッグ移動に対応させることを意味する。マウスポインタ６１ｐの移動距離は適宜設定してあり、必要に応じて第１方向位置操作入力部１０に対する操作を繰り返すこととなる。
【０２４１】
上述したとおり、第１機能指定部１２（ボタンスイッチ１２ｆ、１２ｓ、１２ｔ）は、第１方向位置操作入力部１０に対する入力操作と表示画面６０でのマウスポインタ６１ｐの移動との相関関係を画定する。したがって、第１方向位置操作入力部１０への接触操作による表示画面６０でのマウスポインタ６１ｐの移動をより効率的に実行することが可能となる。
【０２４２】
また、実施の形態１で述べたとおり、第２機能指定部２２は、第２方向位置操作入力部２０が有する複数の機能を指定するためにそれぞれの機能に対応させたボタンスイッチ２２ｆ、２２ｓ、２２ｔを有する。つまり、ボタンスイッチ２２ｆ、２２ｓ、２２ｔに対する操作によって、第２方向位置操作入力部２０の機能を指定することが可能となる。
【０２４３】
したがって、ボタンスイッチ２２ｆ、２２ｓ、２２ｔによって、例えば、第２方向位置操作入力部２０への入力操作と表示画面６０でのマウスポインタ６１ｐの移動との相関関係を画定することが可能となる。
【０２４４】
つまり、第２機能指定部２２（ボタンスイッチ２２ｆ、２２ｓ、２２ｔ）に対して例えば次のように機能を適用することが可能である。
【０２４５】
表示画面６０を第２方向Ｄｖｔでいくつかに分割し、分割した領域毎に第２方向位置操作入力部２０を適用する場合、ボタンスイッチ２２ｆに対して「操作範囲を切り替える」機能を適用する。つまり、分割したいずれの領域に対して第２方向位置操作入力部２０を作用させるかを選択する機能をボタンスイッチ２２ｆに持たせることができる。
【０２４６】
ボタンスイッチ２２ｆは、例えばローテーション式に設定することが可能である。つまり、表示画面６０を第２方向Ｄｖｔで２分割して上下に分割された領域を設定した場合、ボタンスイッチ２２ｆを押すごとに第２方向位置操作入力部２０を適用する領域が上領域→下領域→上領域・・・と順次切り替えられる構成とすることができる。
【０２４７】
表示画面６０を第２方向Ｄｖｔで２分割した場合には、第２方向位置操作入力部２０による操作精度を相対的に２倍に向上させることが可能となる。つまり、ｎ分割とした場合には、操作精度はｎ倍に向上させることが可能となる。
【０２４８】
表示画面６０を第２方向Ｄｖｔでいくつかに分割し、分割した領域毎に第２方向位置操作入力部２０を適用する場合、ボタンスイッチ２２ｓに対して「操作範囲を分割する」機能を適用する。つまり、表示画面６０を分割する機能をボタンスイッチ２２ｓに持たせることができる。
【０２４９】
ボタンスイッチ２２ｓは、例えばローテーション式に非分割、２分割、３分割など適宜の分割数を設定することが可能である。なお、ボタンスイッチ２２ｓで設定した分割数に対応させて、ボタンスイッチ２２ｆによって切り替える操作範囲を設定しておくことができる。
【０２５０】
例えば、非分割の場合は全画面が対象であることから操作範囲の切り替えは適用しない状態に設定する。２分割の場合は上下を交互に切り替える形態とする。３分割の場合は上、中、下を順次切り替える形態とする。
【０２５１】
第２方向位置操作入力部２０での操作距離に対する表示画面６０での入力支援手段６１（マウスポインタ６１ｐ）の移動距離の関係を絶対制御／相対制御で切り替える場合、ボタンスイッチ２２ｔに対して、「絶対制御／相対制御を切り替える」機能を適用する。つまり、第２方向位置操作入力部２０での操作距離に対するマウスポインタ６１ｐの移動距離の関係を変更する機能をボタンスイッチ２２ｔに持たせることができる。
【０２５２】
「絶対制御」とは、第２方向位置操作入力部２０の有効操作範囲をそのまま表示画面６０全体（第２方向Ｄｖｔでの全長）に比例対応させ、ドラッグ処理をすることなく直接移動先を指定する入力操作（入力制御）を意味する。表示画面６０を分割した場合には、分割した各領域全体（第２方向Ｄｖｔでの分割した領域毎）に第２方向位置操作入力部２０の有効操作範囲を適用する。表示画面６０を分割した場合は、分割数に応じて第２方向位置操作入力部２０による操作精度を向上させることが可能となる。
【０２５３】
また、「相対制御」とは、第２方向位置操作入力部２０に対するドラッグ操作の距離分を表示画面６０でのマウスポインタ６１ｐのドラッグ移動に対応させることを意味する。マウスポインタ６１ｐの移動距離は適宜設定してあり、必要に応じて第２方向位置操作入力部２０に対する操作を繰り返すこととなる。
【０２５４】
上述したとおり、第２機能指定部２２（ボタンスイッチ２２ｆ、２２ｓ、２２ｔ）は、第２方向位置操作入力部２０に対する入力操作と表示画面６０でのマウスポインタ６１ｐの移動との相関関係を画定する。したがって、第２方向位置操作入力部２０への接触操作による表示画面６０でのマウスポインタ６１ｐの移動をより効率的に実行することが可能となる。
【０２５５】
図５は、本発明の実施の形態２に係る入力支援手段操作装置が備える第１機能指定部および第２機能指定部の機能を適用して表示画面を分割した状態を示す説明図である。
【０２５６】
上述したとおり、ボタンスイッチ１２ｆ、２２ｆは、「操作範囲を分割する」機能を適用される場合がある。ボタンスイッチ１２ｆ、２２ｆに対して「操作範囲を分割する」機能が適用されると、ボタンスイッチ１２ｆ、２２ｆを操作することによって、表示画面６０を第１方向位置操作入力部１０、第２方向位置操作入力部２０に対応させて分割することが可能となる。
【０２５７】
図５では、第１機能指定部１２（ボタンスイッチ１２ｆ）を操作して第１方向Ｄｈｒを２分割し、第２機能指定部２２（ボタンスイッチ２２ｆ）を操作して第２方向Ｄｖｔを２分割した状態を示してある。
【０２５８】
第１方向Ｄｈｒでは、第１横分割領域６３ｘｆ、第２横分割領域６３ｘｓが横分割領域６３ｘとして配置してあり、第１横分割領域６３ｘｆと第２横分割領域６３ｘｓとの間には両方の領域を重畳させた横分割重畳領域６３ｘｄが配置してある。
【０２５９】
第１横分割領域６３ｘｆ、第２横分割領域６３ｘｓそれぞれが第１方向位置操作入力部１０による操作対象（操作領域）となる。
【０２６０】
第２方向Ｄｖｔでは、第１縦分割領域６３ｙｆ、第２縦分割領域６３ｙｓが縦分割領域６３ｙとして配置してあり、第１縦分割領域６３ｙｆと第２縦分割領域６３ｙｓとの間には両方の領域を重畳させた縦分割重畳領域６３ｙｄが配置してある。
【０２６１】
第１縦分割領域６３ｙｆ、第２縦分割領域６３ｙｓそれぞれが第２方向位置操作入力部２０による操作対象（操作領域）となる。
【０２６２】
第１方向位置操作入力部１０、第２方向位置操作入力部２０の操作に対応する領域を分割して縮小することにより、第１方向位置操作入力部１０、第２方向位置操作入力部２０の操作精度を向上させることが可能となり、分割数に応じてマウスポインタ６１ｐを高精度に制御（操作）することが可能となる。
【０２６３】
また、分割した領域を相互に重畳させた重畳領域（横分割重畳領域６３ｘｄ、縦分割重畳領域６３ｙｄ）を配置することにより、マウスポインタ６１ｐの制御を容易かつ迅速に実行することが可能となる。
【０２６４】
図５では、マウスポインタ６１ｐに対応させた補助線６２（第１方向Ｄｈｒに対応する補助線６２として横補助線６２ｘ、第２方向Ｄｖｔに対応する補助線６２として縦補助線６２ｙ）を配置してある。補助線６２を配置することにより、移動先（移動目標）に対してマウスポインタ６１ｐを容易かつ迅速に移動させることが可能となる。
【０２６５】
補助線６２の表示、非表示の設定は、例えば第１機能指定部１２、第２機能指定部２２を適用して設定することが可能である。
【０２６６】
図６Ａは、本発明の実施の形態２に係る入力支援手段操作装置が備える第２機能指定部に対して相対制御を適用した場合に第２方向位置操作入力部によりマウスポインタを操作する状態を示す説明図である。
【０２６７】
第２方向位置操作入力部２０の機能として相対制御を指定した場合について、相対制御によるマウスポインタ６１ｐの移動状態を示してある。なお、上述したとおり、相対制御は、例えばボタンスイッチ２２ｔを操作して相対制御に切り替えることにより実行することが可能である。
【０２６８】
先ず、第２方向位置操作入力部２０に対して近接操作Ｄｒ１を施すことによってマウスポインタ６１ｐは移動方向Ｄｓｈ１で示すとおり、下側に図示した位置から第２方向Ｄｖｔで中央に示した位置に移動する。
【０２６９】
次に、第２方向位置操作入力部２０に対して再度近接操作Ｄｒ２を施すことによってマウスポインタ６１ｐは移動方向Ｄｓｈ２で示すとおり、中央に示した位置から上側に示した位置に移動する。
【０２７０】
図６Ｂは、本発明の実施の形態２に係る入力支援手段操作装置が備える第１機能指定部および第２機能指定部に絶対制御を適用した場合に第１方向位置操作入力部および第２方向位置操作入力部によりマウスポインタを操作する状態を示す説明図である。
【０２７１】
第１方向位置操作入力部１０および第２方向位置操作入力部２０の機能として絶対制御を指定した場合ついて、絶対制御によるマウスポインタ６１ｐの移動状態を示してある。なお、上述したとおり、絶対制御は、例えばボタンスイッチ１２ｔ、ボタンスイッチ２２ｔを操作して絶対制御に切り替えることにより実行することが可能である。
【０２７２】
第１方向位置操作入力部１０、第２方向位置操作入力部２０のそれぞれの中央部に近接操作することにより、マウスポインタ６１ｐは、対応する表示画面６０の中央部に移動することとなる。なお、絶対制御であることから、直前の位置はどの位置であっても同様に移動させることが可能となる。
【０２７３】
図６Ｃは、本発明の実施の形態２に係る入力支援手段操作装置が備える第２機能指定部に対して操作範囲を分割する機能を適用し、第１機能指定部および第２機能指定部に絶対制御を適用した場合で、第１方向位置操作入力部および第２方向位置操作入力部で操作可能な領域の状態を示す説明図である。
【０２７４】
第１方向位置操作入力部１０の機能として絶対制御を指定していること、また、操作範囲を分割する機能は指定されていないことから、第１方向位置操作入力部１０は、第１方向Ｄｈｒに対応する表示画面６０の全長に対応した状態となっている。
【０２７５】
第２方向位置操作入力部２０の機能として操作範囲を分割する機能（例えば２分割）、絶対制御の機能を指定していることから、第２方向位置操作入力部２０は、縦分割領域６３ｙとしての第１縦分割領域６３ｙｆおよび第２縦分割領域６３ｙｓに対応する状態となっている。第１縦分割領域６３ｙｆに対してマウスポインタ６１ｐを移動させる場合は、上述したとおりに第２機能指定部２２ｆ（操作範囲を切り替える機能を適用）を操作し、第１縦分割領域６３ｙｆを選択して移動先に対応する第２方向位置操作入力部２０の位置を操作することとなる。
【０２７６】
＜実施の形態３＞
図７Ａないし図８Ｂに基づいて、本発明の実施の形態３に係る入力支援手段操作装置について説明する。なお、本実施の形態に係る入力支援手段操作装置の構成は、基本的に実施の形態１、実施の形態２に示した入力支援手段操作装置３と同様であるので、主に異なる事項について説明する。
【０２７７】
図７Ａは、本発明の実施の形態３に係る入力支援手段操作装置の左手用領域を示す説明図であり、（Ａ）は平面図、（Ｂ）は（Ａ）の矢符Ｂ−Ｂでの断面を示す断面図である。図７Ｂは、本発明の実施の形態３に係る入力支援手段操作装置の右手用領域を示す平面図であり、（Ａ）は平面図、（Ｂ）は（Ａ）の矢符Ｂ−Ｂでの断面を示す断面図である。図７Ｃは、本発明の実施の形態３に係る入力支援手段操作装置を電子情報機器の入力装置部に結合した状態を示す平面図である。
【０２７８】
本実施の形態に係る入力支援手段操作装置３は、実施の形態１、実施の形態２の場合と異なり、入力装置部２（入力装置筐体２ｃ）とは分離して別の筐体に形成してある。つまり、入力支援手段操作装置３は、独自の操作装置筐体３ｃを備える。
【０２７９】
入力支援手段操作装置３は、入力装置部２（入力装置筐体２ｃ）と結合する係合部３ｒを備える。また、入力装置部２の端子２ｔとは別に入力支援手段操作装置３から表示装置部６に対する信号を送出するために電子情報機器の制御部（不図示）に接続される端子３ｔを備える。
【０２８０】
したがって、本実施の形態に係る入力支援手段操作装置３は、入力装置部２（入力装置筐体２ｃ）に対して独立した状態で配置し、操作することが可能となる。また、実働時には、操作装置筐体３ｃは、係合部３ｒを介して電子情報機器の入力装置部２の入力装置筐体２ｃに結合することが可能である。
【０２８１】
したがって、状況に応じて入力支援手段操作装置３を利用することが可能となる。また、入力装置部２（入力装置筐体２ｃ）に対して独立していることから、多様な入力装置部２に対して適用することが可能となり、汎用性のある入力支援手段操作装置３とすることができる。
【０２８２】
入力支援手段操作装置３は、右手用領域、左手用領域いずれか一方のみを入力装置部２に結合しても良く、また実施の形態１、実施の形態２と同様に右手用領域、左手用領域の両方を適用する形態としても良い。
【０２８３】
なお、係合部３ｒには、入力装置部２（入力装置筐体２ｃ）に対して結合するための適宜の係合手段を設けてある。また、入力装置筐体２ｃにも係合部３ｒに適合する適宜の係合手段を設けてある。
【０２８４】
図８Ａは、本発明の実施の形態３に係る入力支援手段操作装置の左手用領域および右手用領域を橋絡部で連結した状態を示す平面図である。図８Ｂは、図８Ａに示した入力支援手段操作装置を電子情報機器の入力装置部に結合した状態を示す平面図である。
【０２８５】
図７Ａないし図７Ｃに示した入力支援手段操作装置３は、左手用領域および右手用領域を独立して形成しているが、図８Ａに示す入力支援手段操作装置３は、左手用領域および右手用領域を橋絡部３ｂで連結した状態としてある。
【０２８６】
この構成により、入力支援手段操作装置３（操作装置筐体３ｃ）の取り扱いを容易にすることが可能となり、また、入力装置部２（入力装置筐体２ｃ）との連結を容易かつ確実に行なうことが可能となる。
【０２８７】
また、橋絡部３ｂが構成する空間領域３ｂｓを調整することにより、係合部３ｒと結合する入力装置部２（入力装置筐体２ｃ）の大きさに適応させることが可能となり、入力支援手段操作装置３としての汎用性を向上させることができる。
【０２８８】
なお、その他の構成は、図７Ａ、図７Ｂに示した入力支援手段操作装置３と同様であるので説明を省略する。
【０２８９】
＜実施の形態４＞
図９Ａおよび図９Ｂに基づいて、本発明の実施の形態４に係る入力支援手段操作装置について説明する。なお、本実施の形態に係る入力支援手段操作装置の構成は、基本的に実施の形態１ないし実施の形態３に示した入力支援手段操作装置３と同様であるので、主に異なる事項について説明する。
【０２９０】
図９Ａは、本発明の実施の形態４に係る入力支援手段操作装置を示す説明図であり、（Ａ）は平面図、（Ｂ）は（Ａ）の矢符Ｂ−Ｂでの断面を示す断面図である。図９Ｂは、図９Ａに示した入力支援手段操作装置を電子情報機器の入力装置部に結合した状態を示す平面図である。
【０２９１】
本実施の形態に係る入力支援手段操作装置３は、左手用領域および右手用領域の間に電子情報機器の入力装置部２（入力装置筐体２ｃ）が嵌合して接続される連結接続部３ｉを備える。したがって、入力装置部２を連結接続部３ｉに嵌合して接続することにより、入力装置部２と入力支援手段操作装置３との結合を容易かつ確実に行なうことが可能となる。
【０２９２】
なお、連結接続部３ｉには、図示しないコネクタが配置してあり、電子情報機器（入力装置部２）と接続される構成としてある。
【０２９３】
＜実施の形態５＞
図１０ないし図１４に基づいて、本発明の実施の形態５に係る入力支援手段操作装置および電子情報機器について説明する。なお、本実施の形態に係る入力支援手段操作装置の構成は、基本的に実施の形態１ないし実施の形態４に示した入力支援手段操作装置３と同様であるので、主に異なる事項について説明する。
【０２９４】
図１０は、本発明の実施の形態５に係る入力支援手段操作装置を備えた電子情報機器の概略構成を説明する説明図であり、（Ａ）は平面図、（Ｂ）は（Ａ）の矢符Ｂ−Ｂでの断面を示す断面図である。
【０２９５】
図１０に示す本実施の形態に係る電子情報機器は、情報を表示する表示画面６０を有する表示装置部６と、情報を入力する入力装置部２（入力装置筐体２ｃ）と、表示画面６０に表示される入力支援手段６１（マウスポインタ６１ｐ）を操作する入力支援手段操作装置３とを備える。
【０２９６】
したがって、入力支援手段６１に対する操作が容易な電子情報機器とすることが可能となる。図示した形態の電子情報機器としては、例えばラップトップ型のパーソナルコンピュータ、モバイル型の電子情報機器などがある。
【０２９７】
本実施の形態に係る電子情報機器では、入力装置部２（入力装置筐体２ｃ）と入力支援手段操作装置３（操作装置筐体３ｃ）とを一体化してある。つまり、電子情報機器は、入力支援手段操作装置３を備える構成としてある。また、入力支援手段操作装置３は、上述したとおり、実施の形態１ないし実施の形態４に係る入力支援手段操作装置３を適用することが可能である。
【０２９８】
第１方向位置操作入力部１０への操作を容易にするために入力装置筐体２ｃに第１方向位置操作入力部１０に対応させた溝部３ｇが形成してある。溝部３ｇは、第１方向位置操作入力部１０への入力操作を容易にするために傾斜面とされた底部を有する。したがって、溝部３ｇは、第１縁部３ｆを構成することが可能となる。また、溝部３ｇに第１方向位置操作入力部１０を配置することから、誤動作を抑制することが可能となる。
【０２９９】
なお、本実施の形態では、入力支援手段操作装置３を構成する要素として第１方向位置操作入力部１０、位置表示部１１、第２方向位置操作入力部２０、位置表示部２１、第２機能指定部２２を備える。他の要素は省略してあるが、他の実施の形態と同様に構成しても良く、また、入力装置部２に兼用させることも可能である。
【０３００】
図１１は、本発明の実施の形態５に係る入力支援手段操作装置を備えた電子情報機器の概略構成を示す平面図である。
【０３０１】
図１１に示す本実施の形態に係る電子情報機器は、情報を表示する表示画面６０を有する表示装置部６と、情報を入力する入力装置部２（入力装置筐体２ｃ）と、表示画面６０に表示される入力支援手段６１（マウスポインタ６１ｐ）を操作する入力支援手段操作装置３とを備える。
【０３０２】
図１０に示した電子情報機器と異なり、入力装置筐体２ｃおよび操作装置筐体３ｃは重畳した第１縁部３ｆを構成してある。その他の構成は、図１０に示した電子情報機器と同様であるので説明は省略する。
【０３０３】
図１２は、本発明の実施の形態５に係る入力支援手段操作装置を備えた電子情報機器の概略構成を示す平面図である。
【０３０４】
図１２に示す本実施の形態に係る電子情報機器は、情報を表示する表示画面６０を有する表示装置部６と、情報を入力する入力装置部２（入力装置筐体２ｃ）と、表示画面６０に表示される入力支援手段６１（マウスポインタ６１ｐ）を操作する入力支援手段操作装置３とを備える。
【０３０５】
図１２では、入力支援手段操作装置３として、第１方向位置操作入力部１０、位置表示部１１、第２方向位置操作入力部２０、位置表示部２１、第２機能指定部２２を備える。他の構成は図１０、図１１に示した電子情報機器と同様であるので説明は省略する。なお、入力装置部２は、例えば凹凸の無いタッチパッド２ｐで構成してある。
【０３０６】
図１３は、本発明の実施の形態５に係る入力支援手段操作装置を備えた電子情報機器の概略構成を示す平面図である。
【０３０７】
図１３に示す本実施の形態に係る電子情報機器は、情報を表示する表示画面６０を有する表示装置部６と、表示画面６０に表示される入力支援手段６１（マウスポインタ６１ｐ）を操作する入力支援手段操作装置３とを備える。なお、表示画面６０は、情報を入力する入力装置部２と兼用させてある。
【０３０８】
図１３に示す電子情報機器は、図１０ないし図１２に示した電子情報機器に比較してさらに小型化してあることから、入力支援手段操作装置３として、第１方向位置操作入力部１０、第２方向位置操作入力部２０のみを備える。したがって、携帯性を向上させる観点から小型化された電子情報機器に対して、入力支援手段操作装置３を簡略化して適用してある。
【０３０９】
図１４は、本発明の実施の形態５に係る入力支援手段操作装置を備えた電子情報機器の概略構成を説明する説明図であり、（Ａ）は入力装置部をメカニカルキー構成とした場合の平面図であり、（Ｂ）は入力装置部をタッチパッドで構成した場合の平面図である。
【０３１０】
図１４に示す本実施の形態に係る電子情報機器は、情報を表示する表示画面６０を有する表示装置部６と、情報を入力する入力装置部２（メカニカルキー構成とされた文字キー２ｋ、あるいはタッチパッド２ｐ）、表示画面６０に表示される入力支援手段６１（マウスポインタ６１ｐ）を操作する入力支援手段操作装置３とを備える。
【０３１１】
図１４に示す電子情報機器は、図１３と同様に入力支援手段操作装置３を簡略化し、第１方向位置操作入力部１０のみを備える。したがって、携帯性の優れた小型の電子情報機器に対して、入力支援手段操作装置３を簡略化して適用してある。
【図面の簡単な説明】
【０３１２】
【図１Ａ】本発明の実施の形態１に係る入力支援手段操作装置の概略構成を示す概略平面図である。
【図１Ｂ】図１Ｂは、図１Ａの矢符Ｂ方向から見た側面図である。
【図２Ａ】図１Ａに示した入力支援手段操作装置の左手用領域を拡大して示す拡大平面図である。
【図２Ｂ】図１Ａに示した入力支援手段操作装置の右手用領域を拡大して示す拡大平面図である。
【図３Ａ】本発明の実施の形態１に係る入力支援手段操作装置が入力支援手段（マウスポインタ）を操作する状態を説明する説明図である。
【図３Ｂ】本発明の実施の形態１に係る入力支援手段操作装置が入力支援手段（スクロールバー）を操作する状態を説明する説明図である。
【図４】本発明の実施の形態１に係る入力支援手段操作装置の操作状態を説明する説明図である。
【図５】本発明の実施の形態２に係る入力支援手段操作装置が備える第１機能指定部および第２機能指定部の機能を適用して表示画面を分割した状態を示す説明図である。
【図６Ａ】本発明の実施の形態２に係る入力支援手段操作装置が備える第２機能指定部に対して相対制御を適用した場合に第２方向位置操作入力部によりマウスポインタを操作する状態を示す説明図である。
【図６Ｂ】本発明の実施の形態２に係る入力支援手段操作装置が備える第１機能指定部および第２機能指定部に絶対制御を適用した場合に第１方向位置操作入力部および第２方向位置操作入力部によりマウスポインタを操作する状態を示す説明図である。
【図６Ｃ】本発明の実施の形態２に係る入力支援手段操作装置が備える第２機能指定部に対して操作範囲を分割する機能を適用し、第１機能指定部および第２機能指定部に絶対制御を適用した場合で、第１方向位置操作入力部および第２方向位置操作入力部で操作可能な領域の状態を示す説明図である。
【図７Ａ】本発明の実施の形態３に係る入力支援手段操作装置の左手用領域を示す説明図であり、（Ａ）は平面図、（Ｂ）は（Ａ）の矢符Ｂ−Ｂでの断面を示す断面図である。
【図７Ｂ】本発明の実施の形態３に係る入力支援手段操作装置の右手用領域を示す平面図であり、（Ａ）は平面図、（Ｂ）は（Ａ）の矢符Ｂ−Ｂでの断面を示す断面図である。
【図７Ｃ】本発明の実施の形態３に係る入力支援手段操作装置を電子情報機器の入力装置部に結合した状態を示す平面図である。
【図８Ａ】本発明の実施の形態３に係る入力支援手段操作装置の左手用領域および右手用領域を橋絡部で連結した状態を示す平面図である。
【図８Ｂ】図８Ａに示した入力支援手段操作装置を電子情報機器の入力装置部に結合した状態を示す平面図である。
【図９Ａ】本発明の実施の形態４に係る入力支援手段操作装置を示す説明図であり、（Ａ）は平面図、（Ｂ）は（Ａ）の矢符Ｂ−Ｂでの断面を示す断面図である。
【図９Ｂ】図９Ａに示した入力支援手段操作装置を電子情報機器の入力装置部に結合した状態を示す平面図である。
【図１０】本発明の実施の形態５に係る入力支援手段操作装置を備えた電子情報機器の概略構成を説明する説明図であり、（Ａ）は平面図、（Ｂ）は（Ａ）の矢符Ｂ−Ｂでの断面を示す断面図である。
【図１１】本発明の実施の形態５に係る入力支援手段操作装置を備えた電子情報機器の概略構成を示す平面図である。
【図１２】本発明の実施の形態５に係る入力支援手段操作装置を備えた電子情報機器の概略構成を示す平面図である。
【図１３】本発明の実施の形態５に係る入力支援手段操作装置を備えた電子情報機器の概略構成を示す平面図である。
【図１４】本発明の実施の形態５に係る入力支援手段操作装置を備えた電子情報機器の概略構成を説明する説明図であり、（Ａ）は入力装置部をメカニカルキー構成とした場合の平面図であり、（Ｂ）は入力装置部をタッチパッドで構成した場合の平面図である。
【符号の説明】
【０３１３】
２  入力装置部
２ｃ  入力装置筐体
２ｔ  端子
３  入力支援手段操作装置
３ｂ  橋絡部
３ｃ  操作装置筐体
３ｆ  第１縁部
３ｉ  連結接続部
３ｒ  係合部
３ｓ  第２縁部
３ｔ  端子
６  表示装置部
１０  第１方向位置操作入力部
１１  位置表示部
１２  第１機能指定部
１２ｆ  ボタンスイッチ（第１機能指定部）
１２ｓ  ボタンスイッチ（第１機能指定部）
１２ｔ  ボタンスイッチ（第１機能指定部）
２０  第２方向位置操作入力部
２１  位置表示部
２２  第２機能指定部
２２ｆ  ボタンスイッチ（第２機能指定部）
２２ｓ  ボタンスイッチ（第２機能指定部）
２２ｔ  ボタンスイッチ（第２機能指定部）
３１  第１動作入力部
３２  第２動作入力部
３３  第３動作入力部
４１  第３機能指定部
４１ｆ  第３機能指定部
４１ｓ  第３機能指定部
４２  第４機能指定部
４２ｆ  第４機能指定部
４２ｓ  第４機能指定部
４４  第１動作制御部
４６  第５機能指定部
４８  第６機能指定部
５０  第２動作制御部
６０  表示画面
６１  入力支援手段
６１ｐ  マウスポインタ（入力支援手段）
６１ｓ  スクロールバー（入力支援手段）
６２  補助線
６２ｘ  横補助線
６２ｙ  縦補助線
６３ｘ  横分割領域
６３ｘｄ  横分割重畳領域
６３ｘｆ  第１横分割領域
６３ｘｓ  第２横分割領域
６３ｙ  縦分割領域
６３ｙｄ  縦分割重畳領域
６３ｙｆ  第１縦分割領域
６３ｙｓ  第２縦分割領域
Ｄｈｒ  第１方向
Ｄｖｔ  第２方向
θ  交差角
【図１Ａ】
2009058986.tif 000003
【図１Ｂ】
2009058986.tif 000004
【図２Ａ】
2009058986.tif 000005
【図２Ｂ】
2009058986.tif 000006
【図３Ａ】
2009058986.tif 000007
【図３Ｂ】
2009058986.tif 000008
【図４】
2009058986.tif 000009
【図５】
2009058986.tif 000010
【図６Ａ】
2009058986.tif 000011
【図６Ｂ】
2009058986.tif 000012
【図６Ｃ】
2009058986.tif 000013
【図７Ａ】
2009058986.tif 000014
【図７Ｂ】
2009058986.tif 000015
【図７Ｃ】
2009058986.tif 000016
【図８Ａ】
2009058986.tif 000017
【図８Ｂ】
2009058986.tif 000018
【図９Ａ】
2009058986.tif 000019
【図９Ｂ】
2009058986.tif 000020
【図１０】
2009058986.tif 000021
【図１１】
2009058986.tif 000022
【図１２】
2009058986.tif 000023
【図１３】
2009058986.tif 000024
【図１４】
2009058986.tif 000025